(57)【要約】  モバイルデバイスを動作させるための方法は、Ｂｌｕｅｔｏｏｔｈ（登録商標）  Ｌｏｗ  Ｅｎｅｒｇｙ（ＢＬＥ）を介して通信するように構成された運転管理システムを作動させることと、運転管理システムとモバイルデバイスとの間の通信チャネルを確立することと、運転管理システムにモバイルデバイスに関連付けられた情報を送信することと、運転管理システムとモバイルデバイスの動作を同期させることとを含む。運転管理システムによって情報を通信するための方法は、モバイルデバイスの位置がビークルの運転手の位置に対応すると決定することと、モバイルデバイスによるナビゲーションシステムへのデータ入力を使用不能にすることとを含む。データを収集するための方法は、運転管理システムを作動させることと、運転習慣情報を受信することと、モバイルデバイスの位置を決定することであって、位置が、所定の検出ゾーン内にある、決定することと、モバイルデバイスから識別情報を受信することと、運転習慣情報に識別情報を関連付けることとを含み得る。【選択図】図２
2019512176.tif 000002
【特許請求の範囲】
【請求項１】
モバイルデバイスを動作させるための方法であって、
Ｂｌｕｅｔｏｏｔｈ（登録商標）  Ｌｏｗ  Ｅｎｅｒｇｙ（ＢＬＥ）技術を介して通信するように構成された運転管理システムを作動させることと、
ＢＬＥ技術を介して前記運転管理システムとモバイルデバイスとの間の通信チャネルを確立することと、
前記運転管理システムに前記通信チャネルを介して前記モバイルデバイスに関連付けられた情報を送信することと、
前記運転管理システムと前記モバイルデバイスの動作を同期させることと、
を備える、方法。
【請求項２】
運転管理システムを作動させることが、ビークル内に位置する運転管理システムを作動させることを備える、請求項１に記載の方法。
【請求項３】
運転管理システムを作動させることが、ハンズフリー通信システムを備える運転管理システムを作動させることを備える、請求項２に記載の方法。
【請求項４】
前記運転管理システムと前記モバイルデバイスの動作を同期させることが、前記運転管理システムの前記ハンズフリー通信システムと前記モバイルデバイスの動作を同期させることを備える、請求項３に記載の方法。
【請求項５】
前記運転管理システムと前記モバイルデバイスの動作を同期させることが、前記運転管理システムのナビゲーションシステムと前記モバイルデバイスの動作を同期させることを備える、請求項２に記載の方法。
【請求項６】
前記運転管理システムによって、第１のテキストメッセージを読み取ることであって、前記第１のテキストメッセージが、インバウンドテキストメッセージである、読み取ることと、
前記運転管理システムによって、音声作動式の第２のテキストメッセージを介して返答することであって、前記音声作動式の第２のテキストメッセージが、アウトバウンドテキストメッセージである、返答することと、
をさらに備える、請求項２に記載の方法。
【請求項７】
情報を通信するための方法であって、
運転管理システムによって、ビークル内に位置する第１のモバイルデバイスの第１の位置が前記ビークルの運転手の位置に対応すると決定することと、
前記運転管理システムによって、前記第１のモバイルデバイスによるビークルのナビゲーションシステムへのデータ入力を使用不能にすることと、
を備える方法。
【請求項８】
前記ビークル内の前記第１のモバイルデバイスの前記第１の位置が前記ビークルの前記運転手の前記位置に対応すると前記決定することが、連続的に繰り返される、請求項７に記載の方法。
【請求項９】
前記運転管理システムによって、前記ビークル内の第２のモバイルデバイスの第２の位置が前記ビークルの前記運転手の前記位置に対応しないと決定することと、
前記運転管理システムによって、前記第２のモバイルデバイスから受信されたデータに基づいて前記第２のモバイルデバイスによる前記ナビゲーションシステムへのデータ入力を有効化することと、
をさらに備える、請求項７に記載の方法。
【請求項１０】
前記ビークル内の前記第２のモバイルデバイスの前記第２の位置が前記ビークルの前記運転手の前記位置に対応しないと前記決定することが、連続的に繰り返される、請求項９に記載の方法。
【請求項１１】
前記運転管理システムの制御モジュールによって、前記第１のモバイルデバイスに制御信号を送信することであって、前記制御信号が、前記第１のモバイルデバイスの動作を制限するか又は使用不能にするように構成されている、送信すること
をさらに備える、請求項７に記載の方法。
【請求項１２】
前記第１のモバイルデバイスに前記制御信号を送信することが、前記第１のモバイルデバイスの通信機構を防止するように構成された制御信号を送信することを備える、請求項１１に記載の方法。
【請求項１３】
前記運転管理システムの感知モジュールによって、所定の検出ゾーン内の前記第１のモバイルデバイス又は前記第２のモバイルデバイスによって発せられた通信信号を感知することをさらに備える、請求項７に記載の方法。
【請求項１４】
データを収集するための方法であって、
ビークルの運転管理システムを作動させることと、
前記運転管理システムによって、運転習慣情報を受信することと、
前記運転管理システムによって、モバイルデバイスの位置を決定することであって、前記位置が、所定の検出ゾーン内にある、決定することと、
前記モバイルデバイスから、前記運転管理システムによって、識別情報を受信することと、
前記運転管理システムによって、前記運転習慣情報に前記モバイルデバイスの前記識別情報を関連付けることと、
を備える、方法。
【請求項１５】
モバイルデバイスの位置を決定することであって、前記位置が、所定の検出ゾーン内にあり、前記所定の検出ゾーンが、前記ビークルの運転席に近接している３次元ゾーンを備える、請求項１４に記載の方法。
【請求項１６】
非一過性の記録媒体中に前記モバイルデバイスの前記識別情報に関連付けられた前記運転習慣情報を記憶することと、
前記ビークルのセンサによって感知されたデータに基づいて、前記ビークルのナビゲーションシステムによって前記運転習慣情報を決定することと、
をさらに備える、請求項１４に記載の方法。
【請求項１７】
前記運転習慣情報を記憶することが、運転速度パターンを記憶することを備える、請求項１６に記載の方法。
【請求項１８】
前記運転習慣情報を記憶することが、ブレイクペダルパターンを記憶することを備える、請求項１６に記載の方法。
【請求項１９】
前記運転習慣情報を記憶することが、ステアリングホイールパターンを記憶することを備える、請求項１６に記載の方法。
【請求項２０】
前記運転管理システムによって、前記ビークルの出口点又は入口点がアクセスされた時間を決定することをさらに備える、請求項１４に記載の方法。
【発明の詳細な説明】
【技術分野】
【０００１】
優先権
本出願は、２０１６年１月１５日に出願された「ＭＯＢＩＬＥ  ＤＥＶＩＣＥ  ＳＹＮＣＨＲＯＮＩＺＡＴＩＯＮ  ＷＩＴＨ  ＢＬＵＥＴＯＯＴＨ  ＬＯＷ  ＥＮＥＲＧＹ  ＡＮＤ  ＤＡＴＡ  ＣＯＬＬＥＣＴＩＯＮ」と題する米国仮出願番号第６２／２７９，１４２号の利益を主張し、当該内容はその全体がすべての目的のために参照により本明細書に組み込まれる。
【発明の概要】
【発明が解決しようとする課題】
【０００２】
自動車販売店へのサービス依頼電話の約４０〜５０％が、自身のモバイルデバイスをビークルのハンズフリーシステムと同期（シンクロ）させることに困っている運転手からのものであることが分かっている。さらに、多くの場合、ビークルが移動しているとき、ビークルのナビゲーション画面は、ビークルが移動している間に運転手が位置情報を入力するのを防止するために使用不能にされる。このようにしてナビゲーション画面を使用不能にすることは、潜在的な事故の確率を低減し得る。残念ながら、ビークル内のナビゲーションシステムは、運転手と運転手の横に座っている乗員とを区別することができないので、ナビゲーション画面は、乗員についても使用不能にされる。さらに、保険会社は、保証する運転手の運転習慣に関する情報を収集することを選ぶことがある。しかしながら、現在の技術は、ビークルがどのように運転されたのかについてしか報告できず、同じビークルの異なる運転手の運転習慣を区別しない。現在の技術のこれらの制限を考えれば、運転手のモバイルデバイスとの上記したような同期を制限しながらビークルシステムが運転しない人のモバイルデバイスと同期することを可能にするためにビークルシステムとモバイルデバイスとの両方における特徴を考案することが有用となり得る。このようにして、ビークルシステムは、運転手の活動を運転しない人と区別し、それに応じて応答し得る。
【課題を解決するための手段】
【０００３】
ビークルのハンズフリーシステム及び／又はナビゲーションシステムと自動的に同期するためにモバイルデバイス中のＢｌｕｅｔｏｏｔｈ（登録商標）  Ｌｏｗ  Ｅｎｅｒｇｙ（ＢＬＥ）システムを使用するためのシステム及び方法を開示する。ビークルの内部のモバイルデバイスの位置が運転手に対応しないと決定したときに、モバイルデバイスからビークル・ナビゲーションシステムに情報を通信するためのシステム及び方法を開示する。自動車内のモバイルデバイスの位置に基づくビークルの運転手の識別情報に関する情報と保険適用のための運転手の運転習慣に関する情報とを収集するためのシステム及び方法を開示する。
【０００４】
非限定的な一態様では、モバイルデバイスアプリケーションは、ＢＬＥ技術を利用する。モバイルデバイスは、それらに組み込まれた回路、チップ、ＩＣ、などのＢＬＥデバイスを有し得る。非限定的な一態様では、モバイルデバイスは、運転管理システム中のＢＬＥデバイス間の通信に基づいてビークルのハンズフリーシステムと同期し得る。運転管理は、ビークル内に位置し得る。ＢＬＥデバイスは、モバイルデバイス中に位置し得る。非限定的な一態様では、モバイルデバイス中のＢｌｕｅｔｏｏｔｈ（登録商標）システムは、ビークルのハンズフリーシステムと同期され得る。そのような動作は、自動プロセスに従ってモバイルデバイス上でモバイルデバイスアプリケーションを通して達成され得る。モバイルデバイスアプリケーションと同期化プロセスとは、同様にウェアラブルデバイス上で動作し、モバイルデバイスとウェアラブルデバイスとの間の同期を可能にし得る。ハンズフリーシステムにより、例えば、非限定的な一例では、ユーザの手の使用を必要としない動作を含み得るハンズフリー動作を有効にしてもよい。ハンズフリー動作の非限定的な一例としては、ハンズフリーシステムとユーザのモバイルデバイスとの間の通信チャネルを確立するなどの動作を開始するための口頭コマンドをユーザが生成することを含み得る。
【０００５】
非限定的な一態様では、モバイルデバイスアプリケーションは、運転手のモバイルデバイスと乗員のモバイルデバイスとを区別することができる位置ベースのシステムであり得る。ＢＬＥを使用して、モバイルデバイスアプリケーションにより、乗員が、運転手について使用不能にされ得るビークルのナビゲーションシステム又は他の機能にアクセスすることが可能になってもよい。動作可能に、モバイルデバイスアプリケーション及び運転管理システムは、運転手のモバイルデバイスと乗員のモバイルデバイスとを区別することができる。乗員は、自身のモバイルデバイス上のモバイルデバイスアプリケーションを通してナビゲーションシステム又は他の機能にアクセスすることが可能であってもよい。いくつかの非限定的な態様によれば、アクセスは、乗員のモバイルデバイスのヘッドセットユニットに直接行われ得るか、又はモバイルデバイス上のマップアプリケーションを通して行われ得る。運転手のモバイルデバイスが使用不能にされたままであるので、運転手は、依然として、そのような機能を実行するのを防止され得る。
【０００６】
非限定的な一態様では、モバイルデバイスアプリケーションは、運転手の運転習慣に関係するデータなどの運転手に関連付けられたデータを収集することができる。非限定的な例として、運転手は、運転手のモバイルデバイスの位置に基づいて識別され得る。現在の技術は、ビークルがどのように運転されたのかについてしか報告できない。複数の運転手が同じ車の使用を共有する場合、誰が安全に又は不注意に運転しているのかをビークルが決定するための方法がない。モバイルデバイスアプリケーションを通して、同じ車を共有する複数の運転手のうちの一人の運転手の運転習慣などの特定の運転手に関連付けられた情報が収集され、報告され得る。いくつかの非限定的な例では、運転習慣に関係するデータは、法執行当局又は運転手の保険会社など、個人、個人のグループ、又は団体に報告され得る。運転習慣のいくつかの非限定的な例としては、運転手が通常運転する速度、運転手がブレーキペダルを押下する頻度及び長さ、運転手がステアリングホイールを使用する方法を含み得る。
【０００７】
Ｂｌｕｅｔｏｏｔｈ（登録商標）  Ｌｏｗ  Ｅｎｅｒｇｙ（ＢＬＥ）は、ヘルスケア、フィットネス、ビーコン、セキュリティ、及びホームエンターテインメントにおける適用例を対象とするＢｌｕｅｔｏｏｔｈ（登録商標）  Ｓｐｅｃｉａｌ  Ｉｎｔｅｒｅｓｔ  Ｇｒｏｕｐによって設計され、販売されるワイヤレス・パーソナル・エリア・ネットワーク技術である。従来のＢｌｕｅｔｏｏｔｈ（登録商標）と比較して、ＢＬＥは、同様の通信レンジを維持しながら、電力消費量及びコストを大幅に低減することを目的とする。
【図面の簡単な説明】
【０００８】
【図１】運転席に個人を収容するためのキャビンを含むビークルを示す。
【０００９】
【図２】モバイルデバイス検出及び制御システムの非限定的な一態様を示す。
【００１０】
【図３】ビークルのダッシュボード内に位置するモバイルデバイス検出及び制御システムの非限定的な一態様を備えるビークルの内部を示す。
【００１１】
【図４】ビークル内の所定の検出ゾーン中に位置するモバイルデバイスの存在を決定するためのフローチャートの非限定的な一態様を示す。
【００１２】
【図５】例示的な電子デバイスの概略図を示す。
【００１３】
【図６】電子デバイスのための入出力サブシステムの非限定的な一態様を示す。
【００１４】
【図７】電子デバイスのための通信インタフェースの非限定的な一態様を示す。
【００１５】
【図８】電子デバイスのためのメモリサブシステムの非限定的な一態様を示す。
【００１６】
【図９】ビークルのシステムと自動的に同期するためにモバイルデバイス中のＢＬＥ技術を使用するためのフローチャートの非限定的な一態様を示す。
【００１７】
【図１０】ビークルの内部のモバイルデバイスの位置が運転手に対応しないと決定するとモバイルデバイスからビークル・ナビゲーションシステムに情報を通信するためのフローチャートの非限定的な一態様を示す。
【００１８】
【図１１】ビークルに関連付けられた運転習慣の識別情報とともに自動車内のモバイルデバイスの位置に基づくビークルの運転手の識別情報に関する情報を収集するためのフローチャートの非限定的な一態様を示す。
【００１９】
【図１２】本開示の非限定的な態様による、運転管理システムよって情報が収集され得るルートの図を示す。
【発明を実施するための形態】
【００２０】
図１に、運転席１０６に個人を収容するためのキャビン１０４を含むビークル１００を示す。本開示によれば、ビークルという用語が、広く使用され、あらゆる種類の輸送ビークルを含み得ることを諒解されよう。例えば、ビークル１００は、あらゆる種類の自動車、トラック、スポーツユーティリティビークル、航空機、船舶、宇宙船、又は輸送の任意の他の手段、あるいはそれらの組合せであり得、モバイルデバイスを使用した運転手による通信は、検出及び制御されるべきである。
【００２１】
ビークル１００のダッシュボード１０８上にモバイルデバイス検出及び制御システム１０２が配設されている。非限定的な一態様では、モバイルデバイス検出及び制御システム１０２は、ビークル１００の運転席１０６側に位置するモバイルデバイスの存在を検出し、モバイルデバイスの動作を制御するように構成される。非限定的な一態様では、モバイルデバイスの動作を制御することは、ハンズフリー代替システムにモバイルデバイスの動作をリダイレクトすることを備え得る。ハンズフリーシステムにより、例えば、ハンズフリー動作が可能になり得、これは、非限定的な一例では、ユーザのハンズフリーシステムとモバイルデバイスとの間に通信チャネルを確立することを備える動作を開始するための口頭コマンドをユーザが生成することなど、ユーザの手の使用を必要としない動作を含み得る。他の非限定的な態様では、モバイルデバイス検出及び制御システム１０２の少なくとも１つの要素又は構成要素は、ビークル１００の別のエリア中に位置し得る。
【００２２】
運転手のできるだけ近くにモバイルデバイス検出及び制御システム１０２の検出要素を配置することが望ましいことがある。例えば、モバイルデバイス検出及び制御システム１０２のセンサ及び指向性アンテナは、運転席１０６に近接して位置し得る。そのような構成は、ビークル１００の運転席１０６側におけるモバイルデバイスの存在のより正確な検出を提供し、ビークル１００内に位置する他の人に属するモバイルデバイスの制御を防止し、それによって、例えば、運転手がそうすることができない間に、助手席にいる人が自身のモバイルデバイスを使用することを可能にしてもよい。制御論理などの他の要素又は構成要素は、運転席１０６から離れたビークル１００の他の場所内に位置し得る。
【００２３】
非限定的な一態様では、モバイルデバイス検出及び制御システム１０２は、検出ゾーン中に位置するか、又はそれに近接して位置するモバイルデバイスからの信号送信を検出するように構成される。説明する非限定的な態様によれば、検出ゾーンは、実質的にビークル１００の運転席１０６側又はビークル１００の運転席１０６側に近接しているゾーンとして定義され得る。ただし、他の非限定的な態様では、検出ゾーンは、限定はしないが、ビークル１００内の任意のあらかじめ定義されたゾーンであり得る。一態様では、モバイルデバイス検出及び制御システム１０２の検出部は、一般的なセルラーチャネルで動作する従来の携帯電話によって使用される周波数帯域中の信号送信を検出するように調整され得る。そのようなセルラーチャネルは、例えば、ボイスチャネル、データチャネル、又は他の通信チャネルを含み得る。信号が検出されると、モバイルデバイス検出及び制御システム１０２は、１つ又は複数の方法でモバイルデバイスの動作をワイヤレスに制御し得る。
【００２４】
例えば、非限定的な一態様では、モバイルデバイス検出及び制御システム１０２は、例えば、運転手が所有するモバイルデバイスなどのモバイルデバイスの１つ又は複数の動作を使用不能にするために制御信号を送信し得る。そのような動作は、限定はされないが、メールを書くこと、電話呼を発信すること、インターネットデータを受信すること、写真を撮影すること、又はモバイルデバイスに一般に関連付けられた他の動作を含み得る。制御信号が、モバイルデバイス検出及び制御システム１０２によって送信され、モバイルデバイスによって受信されると、検出ゾーン内のモバイルデバイス又は他の通信デバイスは、完全に動作不能にされるか、部分的に動作不能にされるか、又は制限された能力の状態でのみ動作可能にされ得る。制御信号は、モバイルデバイスが使用不能にされるか、又はモバイルデバイスの少なくとも１つの通信機能のパフォーマンスが制限されるように、モバイルデバイスの少なくとも１つの機能を制御し得る。非限定的な一態様では、制御信号は、Ｂｌｕｅｔｏｏｔｈ（登録商標）ワイヤレス接続又は１次セルラー通信チャネルに対して２次である任意の他の接続などの２次チャネルを通してモバイルデバイスに通信され得る。いくつかの非限定的な態様では、制御モジュールは、モバイルデバイスの１次通信チャネル上でのみ、あるいは１つ又は複数の２次チャネルに加えて通信し得る。
【００２５】
したがって、モバイルデバイス検出及び制御システム１０２は、モバイルデバイス上で呼を受信又は送信する能力を完全にブロックするか、又はモバイルデバイスの使用を望ましくなくするようにモバイルデバイスの信号を十分に制限することができる。例えば、制御信号が、モバイルデバイス上での電話での会話の十分な部分を遮断する場合、モバイルデバイスのユーザは、会話を延期するか、又はそのようにビークルを運転状態から外し得、会話を連続的に続けることができる。別の非限定的な態様では、モバイルデバイス検出及び制御システム１０２は、モバイルデバイスのいくつかの構成要素又は機能の動作を使用不能にし得る。例えば、モバイルデバイスのキーボード部分は、モバイルデバイスのテキストメッセージング機能をユーザが使用するのを防止するために動作不能にされ得る。別の非限定的な態様では、モバイルデバイス検出及び制御システム１０２は、モバイルデバイスの動作がハンズフリー動作になるように指示し得る。これら及び他の非限定的な態様について、以下でより詳細に説明する。
【００２６】
非限定的な一態様では、モバイルデバイス検出及び制御システム１０２は、検出ゾーン内でのモバイルデバイスの存在を検出するために探査信号を送信することによって検出プロセスを開始し得る。そのような探査信号は、例えば、電磁信号又はオーディオ信号であり得る。探査信号が送信されると、検出及び制御システム１０２は、モバイルデバイスによって反射されたエコー信号又はモバイルデバイスによって送信された応答信号を待ち得る。検出及び制御システム１０２がエコー信号又はモバイルデバイスによる送信を検出する場合、検出及び制御システム１０２は、モバイルデバイスの動作を制御するために制御信号を送信する。例えば、非限定的な一態様では、検出及び制御システム１０２は、モバイルデバイスの少なくとも１つの通信機構を防止する形でモバイルデバイスの動作を使用不能にするために制御信号を送信し得る。通信機構は、例えば、呼を送信又は受信する機構、モバイルデバイスが通信ネットワークに接続する機構、あるいはテキストメッセージを送信又は受信する機構などの機構であり得る。別の非限定的な態様では、検出及び制御システム１０２は、モバイルデバイスから、Ｂｌｕｅｔｏｏｔｈ（登録商標）通信システムなどのビークル内のハンズフリーシステムに通信経路を変更し得る。非限定的な一例では、検出ゾーンの外側に位置するモバイルデバイスは、探査信号を受信しないことがあり、したがって、モバイル検出及び制御システム１０２に応答しないことがある。したがって、検出ゾーンの外部のモバイルデバイスは、モバイルデバイスの機能又は動作を改変することが可能な制御信号を受信しないことがある。
【００２７】
図２に、モバイルデバイス検出及び制御システム１０２の非限定的な一態様を示す。非限定的な一態様では、モバイルデバイス検出及び制御システム１０２は、ビークル１００の運転席１０６エリア内に位置するか、又は運転席１０６エリアに近接して位置するモバイルデバイス２００の存在を検出するように構成される。モバイルデバイス２００が検出されると、モバイルデバイス検出及び制御システム１０２は、モバイルデバイス２００の動作を制御するように構成され得る。非限定的な一態様では、モバイルデバイス検出及び制御システム１０２は、検出器モジュール２０２と検出器モジュール２０２に結合された制御モジュール２０４とを備える。非限定的な一例では、検出器モジュール２０２は、モバイルデバイス２００からの電磁信号２０６の送信を受信するように構成されたマルチバンドアンテナ２０８を備え得、制御モジュール２０４は、モバイルデバイス２００に制御信号２１４を送信するためにアンテナ２１０を備え得る。様々な非限定的な態様では、検出器モジュール２０２及び制御モジュール２０４は、これらの構成要素が互いに近接して位置するときにアンテナを共有し得る。
【００２８】
様々な非限定的な態様では、モバイルデバイス２００は、ハンドヘルドポータブルデバイス、コンピュータ、スマートフォンと呼ばれることがある携帯電話、タブレットパーソナルコンピュータ（ＰＣ）、ラップトップコンピュータ、又はそれらの任意の組合せとして実装され得る。スマートフォンの例としては、例えば、Ｐａｌｍ（登録商標）Ｔｒｅｏ（登録商標）スマートフォンなどのＰａｌｍ（登録商標）製品（現在、Ｈｅｗｌｅｔｔ  Ｐａｃｋａｒｄ又はＨＰ）、Ｂｌａｃｋｂｅｒｒｙ（登録商標）スマートフォン、Ａｐｐｌｅ（登録商標）ｉＰｈｏｎｅ（登録商標）、Ｍｏｔｏｒｏｌａ  Ｄｒｏｉｄ（登録商標）などがある。タブレットデバイスは、Ａｐｐｌｅ（登録商標）によるｉＰａｄ（登録商標）タブレットコンピュータと、より一般的に、ネットブックとして知られる軽量のポータブルコンピュータのクラスとを含む。いくつかの非限定的な態様では、モバイルデバイス２００は、ラップトップコンピュータ、ウルトララップトップコンピュータ、通信能力をもつ携帯情報端末（ＰＤＡ）、セルラー電話、一体型セルラー電話／ＰＤＡ、モバイルユニット、加入者局、ユーザ端末、ポータブルコンピュータ、ハンドヘルドコンピュータ、パームトップコンピュータ、ウェアラブルコンピュータ、メディアプレーヤ、ページャ、メッセージングデバイス、データ通信デバイスなど、独立型電源（例えば、バッテリ）をもつ任意のタイプのワイヤレスデバイス、移動局、又はポータブルコンピューティングデバイスを備えるか、又はそれらとして実装され得る。
【００２９】
非限定的な一態様では、検出器モジュール２０２は、運転席１０６内の又はそれに近接している３次元ゾーンとして定義される検出ゾーン２２０内に位置するモバイルデバイス２００の存在を検出するように構成される。モバイルデバイス２００の存在を検出する方法は、モバイルデバイス２００によって使用されるワイヤレス技術通信規格に基づいて変化し得る。米国において使用され得るワイヤレス技術通信規格の例としては、例えば、符号分割多元接続（ＣＤＭＡ）システム、モバイル通信用グローバル・システム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ(登録商標)）システム、北米デジタル・セルラー（Ｎｏｒｔｈ  Ａｍｅｒｉｃａｎ  Ｄｉｇｉｔａｌ  Ｃｅｌｌｕｌａｒ、ＮＡＤＣ）システム、時分割多元接続（ＴＤＭＡ）システム、拡張ＴＤＭＡ（ＥＴＤＭＡ）システム、Ｎａｒｒｏｗｂａｎｄ  Ａｄｖａｎｃｅｄ  Ｍｏｂｉｌｅ  Ｐｈｏｎｅ  Ｓｅｒｖｉｃｅ（ＮＡＭＰＳ）システム、広帯域ＣＤＭＡ（ＷＣＤＭＡ（登録商標））などの３Ｇシステム、４Ｇシステム、ＣＤＭＡ−２０００、ユニバーサル移動電話システム（ＵＭＴＳ）システム、Ｉｎｔｅｇｒａｔｅｄ  Ｄｉｇｉｔａｌ  Ｅｎｈａｎｃｅｄ  Ｎｅｔｗｏｒｋ（ｉＤＥＮ）（ＴＤＭＡ／ＧＳＭ（登録商標）変形形態）などがあり得る。モバイルデバイス２００によって送信された無線周波（ＲＦ）信号の周波数と信号強度とは、ネットワーク・タイプと通信規格とに依存する。検出器モジュール２０２は、モバイルデバイス２００によって送信されたＲＦ信号、又はより一般的に、電磁信号２０６を検出する。したがって、非限定的な一態様では、検出器モジュール２０２は、特定のセルラー周波数又はセルラー周波数帯域に照準を合わせるように構成され得るか、あるいは、すべての利用可能なセルラー周波数又はセルラー周波数帯域を走査し、モバイルデバイス２００によって発せられたＲＦ信号に照準を合わせるように構成され得る。
【００３０】
非限定的な一態様では、検出器モジュール２０２は、マルチバンドアンテナ２０８に結合されたセンサモジュール２１６を備え得る。センサモジュール２１６は、モバイルデバイス２００によって所定の信号強度で発せられ、アンテナ２０８によって受信された電磁信号２０６、例えば、ＲＦ信号を検出するように調整され得る。モバイルデバイス２００が、発信呼を行っているか、あるいはセルラー基地局と通信している（例えば、基地局信号を探索しているあるいは基地局又はセルと接触している）とき、モバイルデバイス２００によって発せられる電磁信号２０６の信号強度又は出力が最も大きくなることを諒解されよう。モバイルデバイス２００がオフにされるか又はセルラー基地局と通信していないとき、ごくわずかな電磁エネルギーが放射される。後者の場合、モバイルデバイス２００がオンにされるが、セルラー基地局と通信していないとき、検出器モジュール２０２が極めて高感度の構成要素を備える場合にのみ、モバイルデバイス２００が場合によっては検出され得る。大部分の従来のモバイルデバイス２００は、約０．５のミリワット（ｍＷ）から約数百ｍＷにわたる出力レベルでエネルギーを放射する。好適な感度の検出器モジュール２０２は、この範囲の出力レベルにある電磁信号２０６を検出するように構成され得る。多くの無線電子機器は、低レベル出力の電磁信号２０６を検出することが可能である。この能力は、なぜフライトのキーポイントにおいて動作する電子機器に関して航空会社が非常に気にするのか、なぜ発破現場の近くでいくつかの電子機器をオフにしなければならないのか、及びなぜいくつかのタイプの病院用機器の周りでセルラーフォンをオフにしなければならないのかの理由の１つである。
【００３１】
非限定的な一態様では、センサモジュール２１６は、セルラー基地局と通信しているときにモバイルデバイス２００によって生成された電磁信号２０６を活用するように構成される。検出器モジュール２０２のセンサモジュール２１６が、電磁信号２０６を検出すると、検出器モジュール２０２は、検出ゾーン２２０内に位置する、すなわち、運転席１０６にある又はそれに近接しているモバイルデバイス２００が存在すると決定し、制御モジュール２０４に信号２１２を通信する。非限定的な一態様では、制御モジュール２０４が、検出器モジュール２０２から信号２１２を受信すると、制御モジュール２０４は、検出ゾーン２２０中に位置するモバイルデバイス２００のみによって検出可能であるアンテナ２１０を介して制御信号２１４を送信し得る。様々な非限定的な態様では、電磁制御信号２１４は、モバイルデバイス２００の少なくとも１つの動作を使用不能にする信号であり得るか、モバイルデバイス２００のいくつかの機能を使用不能にし得るか、又はモバイルデバイス２００の動作をハンズフリー動作にリダイレクトし得る。イグニションシステム２２４、送信システム２２６、又は様々なセンサ２２８などのビークル１００のシステムと通信している制御モジュール２０４が配設され得る。制御モジュール２０４論理はまた、モバイルデバイス２００の存在の検出に加えてビークル１００のシステムの機能をモニタし得る。非限定的な一態様によれば、制御モジュール２０４は、ビークル１００のモニタ機能が作動され得るときにのみ作動され得る。例えば、センサモジュール２１６が、検出ゾーン２２０中のモバイルデバイス２００の存在を検出すると、制御モジュール２０４は、ビークル１００がオンにされたとき、ビークル１００が駐車状態を脱した、若しくは他の方法でギアが入れられたとき、又は１つ又は複数のセンサがビークル１００は動作状態にあるということを検出するときにのみ作動され得る。
【００３２】
非限定的な一態様では、センサモジュール２１６は、モバイルデバイス２００によって送信された電磁信号２０６のエネルギーを収穫するためにエナジーハーベスタ（ｅｎｅｒｇｙ  ｈａｒｖｅｓｔｅｒ）を備え得る。エナジーハーベスタは、アンテナ２０８において放射エネルギーを受信し、エネルギーを電圧電位に変換して、検出器モジュール２０２に通電し、制御モジュール２０４に信号２１２を通信し得る。他の非限定的な態様では、エナジーハーベスタは、センサモジュール２１６とは別個のものであり得、エナジーハーベスタによって生成された電圧電位は、センサモジュール２１６に通電するために使用され得る。非限定的な態様では、エナジーハーベスタによって生成された電圧電位は、検出ゾーン２２０中でのモバイルデバイス２００の存在を決定するために採用され得る。したがって、センサモジュール２１６の感度は、エナジーハーベスタが、検出ゾーン２２０内に位置するモバイルデバイス２００に対応する放射エネルギー・レベルにのみ反応し、検出ゾーン２２０の外側に位置するモバイルデバイス２２２に対応する放射エネルギー・レベルに反応しないように調整され得る。このようにして、乗員は、検出器モジュール２０２を始動させることなしに検出ゾーン２２０外の自身のモバイルデバイス２２２を使用し得る。
【００３３】
他の非限定的な態様では、検出器モジュール２０２は、ビークル１００の電気システムに結合され、ビークル・バッテリによって電力供給され得るか、又は別個のバッテリによって電力供給され得る。そのような非限定的な態様では、検出器モジュール２０２は、モバイルデバイス２００によって送信された電磁信号２０６の出力を測定するように構成された周波数走査及び出力レベル測定モジュールを備え得る。したがって、検出器モジュール２０２が、検出ゾーン２２０中に位置するモバイルデバイス２００に対応する送信出力を検出すると、検出器モジュール２０２の感度は、制御モジュール２０４に検出信号２１２を送信して検出器モジュール２０２を始動させるように調整され得る。同様に、検出器モジュール２０２の感度は、検出ゾーン２２０の外側に位置するモバイルデバイス２２２によって放射される送信出力が検出器モジュール２０２を始動させないように調整され得る。非限定的な一例では、これは、検出ゾーン２２０中に位置するモバイルデバイス２００によって放射される送信出力に最大限に反応し、検出ゾーン２２０の外側に位置するモバイルデバイス２２２によって放射される送信出力に最小限に反応するように指向性マルチバンドアンテナ２０８の位置を特定することによって達成され得る。
【００３４】
非限定的な一態様では、制御モジュール２０４は、アンテナ２１０に結合された制御信号生成モジュール２１８を備え得る。制御信号生成モジュール２１８は、アンテナ２１０と通信していることがある。アンテナ２１０は、制御信号２１４を発し、それによって、呼を行うか又は受信するモバイルデバイス２００の能力を防止又は制限し得る。制御信号生成モジュール２１８とアンテナ２１０とは、ビークル１００の電気システムによって電力供給され得るか、又は別個のバッテリによって電力供給され得る。制御信号生成モジュール２１８は、モバイルデバイス２００の動作を制限する制御信号２１４を送信するデバイスであり得る。
【００３５】
一態様によれば、制御信号生成モジュール２１８は、ビークル１００に内蔵され得る。非限定的な一例では、作動されると、制御信号生成モジュール２１８は、検出ゾーン２２０中に位置するモバイルデバイス２００のモバイル電話呼又はテキストメッセージを送信又は受信する能力を抑止し得る。モバイルデバイス２００が位置するゾーンの範囲は、制御信号生成モジュール２１８と通信しているアンテナ２１０によって発せられた制御信号２１４の動作出力に基づいて制御され得る。代替的に、ゾーンの範囲は、指向性アンテナの幾何学的透過率（ｇｅｏｍｅｔｒｉｃ  ｔｒａｎｓｍｉｓｓｉｏｎ）プロパティに基づいて決定され得る。したがって、例えば、制御信号生成モジュール２１８は、発せられた制御信号２１４の動作出力に基づいて、例えば、制御信号生成モジュール２１８の位置から１〜３フィートなどの所定の距離内に位置するモバイルデバイス２００との間の電話呼又はテキストメッセージを制御し得る。追加又は代替として、制御信号生成モジュール２１８は、指向性アンテナの透過ジオメトリ（ｔｒａｎｓｍｉｓｓｉｏｎ  ｇｅｏｍｅｔｒｙ）に対するモバイルデバイス２００の位置に基づいてそのような電話呼又はテキストメッセージを制御し得る。ただし、検出ゾーン２２０の外部のモバイルデバイス２２２（例えば、乗員のデバイス）は、モバイル電話呼を受信又は開始する、あるいはテキストメッセージを送ることを制限されなくてもよい。
【００３６】
非限定的な一態様では、アンテナ２１０は、ビークル１００のダッシュボードの下に、又は運転手側のフロントガラスの上に配置され得る。代替的に、指向性アンテナは、呼を行うか又はテキストメッセージを送る運転手の能力を制限するために運転手の座席中に配置され得る。
【００３７】
非限定的な一態様では、制御モジュール２０４は、例えば、イグニションスイッチ、送信スイッチ、又は他のビークルセンサ機構などのビークル構成要素の状態と組み合わせて、モバイルデバイス２００が検出ゾーン２２０内で検出されるときに、ビークル１００のオペレータによる通信を防止するために使用され得る。非限定的な一態様では、イグニションスイッチは、モバイルデバイス２００が、ビークル１００の運転席１０６側で検出され、イグニションスイッチがオンにされるときにのみ、制御信号生成モジュール２１８に制御信号２１４をブロードキャストさせるためにモニタされ得る。ただし、ビークル１００のオペレータは、外部通信を確立するために、イグニションスイッチをオフにするか、又はビークル１００をオフ状態に遷移し得る。したがって、制御信号生成モジュール２１８は、ビークル１００がオフ状態に遷移されるまでさらなる通信を防止し得る。別の非限定的な態様では、制御信号生成モジュール２１８は、モバイルデバイス２００が検出ゾーン２２０中で検出され、ビークル１００中の自動変速装置が「駐車」状態からビークル１００が移動し得る動作可能状態に遷移されるときにのみ作動され得る。制御信号生成モジュール２１８が作動されると、ビークル１００のオペレータは、モバイルデバイス２００を動作させるために、ビークル１００のあらゆる動きを停止し、変速装置を「駐車」状態に遷移するか、あるいはエンジンをオフにすることなどによってビークル１００をオフ状態に遷移しなければならない。
【００３８】
非限定的な一態様では、制御モジュール２０４及び／又は制御信号生成モジュール２１８は、ビークル１００の範囲内で動作するように構成され得る。場合によっては、制御モジュール２０４の制御信号生成モジュール２１８に結合されたアンテナ２１０は、ビークル１００の非運転乗員が他のモバイルデバイス２２２を動作させ続けることができるように、検出ゾーン２２０にのみ制御信号２１４を向けるために所定の電力レベル及び指向性属性で構成され得る。そのような場合、制御信号２１４は、概して、ビークル１００の検出ゾーン２２０内に限定され得る。いくつかの非限定的な態様では、制御信号２１４は、ビークル１００内の他のエリアに局所化され得、したがって、運転席１０６に近接しているエリアなどのそれらのエリア内のモバイルデバイスの動作が使用不能にされ得るが、それらのエリアの外側に位置するモバイルデバイスは動作可能になる。
【００３９】
様々な非限定的な態様では、制御信号２１４のアンテナ２１０と出力レベルとは、制御信号２１４が検出ゾーン２２０に正確に配信されるように構成され得る。非限定的な一態様では、配信は、ビークル１００内に位置する指向性アンテナを用いて実装され得、最大制御は、検出ゾーン２２０に配信され、一方、最小出力は、検出ゾーン２２０の外側に配信される。そのような非限定的な態様では、検出器モジュール２０２は、ビークル１００内の任意のモバイルデバイス２００、２２２からのあらゆる送信を無差別に検出するように構成され得る。制御モジュール及び／又は制御信号生成モジュール２１８は、検出ゾーン２２０の外側のモバイルデバイス２２２に影響を及ぼすことなしに検出ゾーン２２０内のモバイルデバイス２００を制御するために検出ゾーン２２０に制御信号を送信するようにのみ構成され得る。したがって、検出器モジュール２０２は、モバイルデバイスが検出ゾーン２２０の内部又は外部に位置するかどうかに関わらず、モバイルデバイスからの送信を検出し得るので、検出器モジュール２０２の設計が簡略化され得る。
【００４０】
非限定的な一態様では、制御モジュール２０４は、モバイルデバイス２００に着呼を許可するが、モバイルデバイス２００に出呼を禁止し得る。検出器モジュール２０２が、モバイルデバイス２００による出呼の試みからの電磁信号２０６を検出すると、検出信号２１２が、制御信号２１４を送信するために制御モジュール２０４を作動する。そのような非限定的な態様では、検出器モジュール２０２は、モバイルデバイス２００の識別情報を識別し、モバイルデバイス２００の識別情報が確認された後に制御モジュール２０４が制御信号２１４を送信することを可能にするために追加のモジュールを備え得る。
【００４１】
他の非限定的な態様では、センサモジュール２１６は、モバイルデバイス２００の任意のタイプの動作を検出し、それを許可又は拒否するために使用され得る。例えば、呼は、モバイルデバイス２００によって受信され得るか、又は代替的に、そのような呼は、防止又は制限され得る。別の例では、緊急呼などのいくつかの呼を行うのを許可され得る。検出され得るモバイルデバイス２００の任意の他の機能は、制御信号生成モジュール２１８によって選択的に許可されるか、又は使用不能にされ得る。
【００４２】
非限定的な一態様では、モバイルデバイス２００は、制御信号２１４を受信し、低減機能モードで動作し得る。例えば、モバイルデバイス２００は、９１１の緊急呼などのあらかじめ定義された例外を除いて電話呼を開始するのを禁止され得る。別の例では、モバイルデバイス２００は、呼を行うのを禁止されるが、すべての呼又はあらかじめ定義されたリストの発呼者からの呼を受信するのを許可され得る。様々な低減機能モードが使用され得、いくつかの非限定的な態様では、設定が、許可される正確な動作を定義し得る。
【００４３】
非限定的な一態様では、制御モジュール２０４は、検出ゾーン２２０内のモバイルデバイス２００の存在を検出するために探査信号を送信することによって検出プロセスを開始する。探査信号が送信されると、検出器モジュール２０２は、モバイルデバイス２００によって反射されたエコー信号又はモバイルデバイス２００によって送信された応答信号を待つ。検出器モジュール２０２がエコー信号又はモバイルデバイス２００による送信を検出する場合、制御モジュール２０４は、モバイルデバイス２００の動作を制御するために制御信号２１４を送信する。例えば、非限定的な一態様では、制御信号生成モジュール２１８は、モバイルデバイス２００の動作を使用不能にするために制御モジュール２０４に制御信号２１４を送信させ得る。別の非限定的な態様では、制御モジュール２０４は、Ｂｌｕｅｔｏｏｔｈ（登録商標）通信システムなどのハンズフリーシステムに通信経路を変更し得る。
【００４４】
図３に、ビークル１００のダッシュボード１０８内に位置するモバイルデバイス検出及び制御システム１０２の非限定的な一態様を備えるビークル１００の内部を示す。図３は、モバイルデバイス検出及び制御システム１０２が位置し得るダッシュボード１０８内の仮想の３つの潜在的位置として示す。検出及び制御システム１０２が、これらの位置のうちの１つ又は複数中に、又はダッシュボード１０８内に位置し得ることを諒解されよう。ユーザが改ざんするのを防止するために検出及び制御システム１０２がダッシュボード１０８内に位置することが好ましいことがある。したがって、検出及び制御システム１０２は、検出及び制御システム１０２がダッシュボード１０８内に位置することを示すために仮想物として示されている。別の非限定的な態様では、制御モジュール２０３は、検出及び制御システム１０２が自動車整備工の助けを借りて又は助けを借りないでビークル１００の所有者によって非活動化されたときなどの状況を記録するためにデータ収集プロセス有りで構成され得る。このような改ざん記録及び検出特徴は、検出及び制御システム１０２が使用不能だったかどうかを決定する事故後調査に役立ち得る。例えば、検出及び制御システム１０２が使用不能であったという決定は、保険の補償の無効を生じ得る。
【００４５】
次に図１〜図３を参照すると、モバイルデバイス検出及び制御システム１０２は、検出器モジュール２０２と検出器モジュール２０２に結合された制御モジュール２０４とを備える。検出器モジュール２０２は、検出ゾーン２２０内のモバイルデバイス２００の存在を検出する。検出器モジュール２０２が検出ゾーン２２０内のモバイルデバイス２００の存在を検出すると、制御モジュール２０４は、制御信号生成モジュール２１８を作動し、これは、制御モジュール２０４による送信のための制御信号２１４を生成する。制御信号２１４は、検出ゾーン２２０の外側に位置するモバイルデバイス２２２を制限する又は使用不能にすることなく、モバイルデバイス２００が検出ゾーン２２０内に位置するときに、モバイルデバイス２００の動作を制限する又は使用不能にし得る。
【００４６】
非限定的な一態様では、モバイルデバイス検出及び制御システム１０２は、運転手がビークル１００に入るときに始動され得る。始動されると、モバイルデバイス検出及び制御システム１０２は、初期化され得、検出モードに入る。検出モードは、モバイルデバイス検出及び制御システム１０２が、１つ又は複数のセンサと論理とを通して、モバイルデバイス２００からのＲＦ、Ｗｉ−Ｆｉ、セルラー、及び衛星通信信号などのすべての電磁信号２０６の存在を検出するプロセスである。非限定的な一態様では、検出プロセスは、モバイルデバイス検出及び制御システム１０２によって開始される。したがって、検出プロセスは、検出プロセスを開始するための運転手のインタラクションに依存しない。運転手からそのプロセスを分離することは、法律が現在制定されていても現在機能していない自己管理への依存を回避するので、有利である。したがって、トリガ条件は、ビークル１００のイグニションスイッチ６０２などのスイッチの活動化又はセンサの中でもビークル１００の自動変速装置の「駐車」センサ６０４の非活動化であり得る。
【００４７】
したがって、ビークル１００のイグニションのときに、モバイルデバイス検出及び制御システム１０２は、検出モジュール２０２と制御モジュール２０４との動作を制御するために検出プロセスを開始することになる。検出プロセスによれば、センサモジュール２１６は、ビークル１００の運転手側１０６エリア内にあるものとして定義され得る検出ゾーン２２０中のモバイルデバイス２００によって発せられる任意のタイプの通信信号２０６を感知するか又は走査することを開始し得る。非限定的な一態様では、センサモジュール２１６は、ダッシュボード１０８のコンソール内に、及び／又はハンズフリー・セットのマイクロフォン内に位置し得る。この構成は、センサモジュール２１６をブロックするか、又は検出プロセスの活動化を防止することによってセンサモジュール２１６を隠し、運転手がモバイルデバイス検出及び制御システム１０２を改ざんすることを防止することになる。非限定的な一態様では、センサモジュール２１６がブロックされる場合、センサモジュール２１６は、ビークル１００を動作不能にするためにイグニションスイッチ６０２に結合され得る。
【００４８】
このようにして、検出プロセスは、運転手がモバイルデバイス２００を然るべく使用することを防止するために検出ゾーン２２０内に位置するモバイルデバイス２００によって発せられた通信信号２０６を検出することを備える。検出プロセスは、検出ゾーン２２０中のモバイルデバイス２００を制御することをさらに備え得る。ただし、検出プロセスは、検出ゾーン２２０の外側のモバイルデバイス２２２を制御することを回避し得る。検出プロセスが開始されると、モバイルデバイス２００がスマートフォンであり、検出ゾーン２２０内で検出された場合、非限定的な一態様では、モバイルデバイス検出及び制御システム１０２は、ビークル１００のハンズフリー通信システムに自動的に接続することができる。ハンズフリー通信システムが利用可能でない場合、モバイルデバイス２００は、制御モジュール２０４によって送信された制御信号２１４によって使用不能にされることになる。ただし、モバイルデバイス検出及び制御システム１０２は、９１１呼などの緊急呼を使用可能にしてもよい。
【００４９】
さらに、検出プロセスが開始されると、モバイルデバイス２００が、スマートフォンであり、検出ゾーン２２０内で検出された場合、非限定的な一態様では、モバイルデバイス検出及び制御システム１０２は、インバウンドテキストメッセージ、アウトバウンドテキストメッセージ、又はインバウンドテキストメッセージとアウトバウンドテキストメッセージとの両方などのモバイルデバイス２００のテキストメッセージング機能を使用不能にするように構成される。非限定的な一態様では、すべてのインバウンドテキストメッセージ又はすべてのアウトバウンドテキストメッセージが保存され得る。非限定的な一態様では、モバイルデバイス検出及び制御システム１０２は、Ｂｌｕｅｔｏｏｔｈ（登録商標）システムなどのハンズフリー通信システムを介してテキストメッセージを読み取ること、並びにハンズフリー通信システムを通して音声作動式のテキストメッセージを介して返答することを行うように構成される。音声作動式のテキストメッセージを読み取ることは、モバイルデバイスのユーザがビークル内のスピーカからテキストメッセージを聞くことができるように、例えば、モバイルデバイス検出及び制御システム１０２によってテキストメッセージのコンテンツを言語表現することを備え得る。テキストメッセージは、インバウンドテキストメッセージであり得る。インバウンドテキストメッセージのコンテンツの言語表現は、例えば、任意の好適な音声読み上げ（ＴＴＳ：ｔｅｘｔ  ｔｏ  ｓｐｅｅｃｈ）ソフトウェアを介して達成され得る。好適なＴＴＳソフトウェアは、例えば、ＩＶＯＮＡ  Ｓｏｆｔｗａｒｅ  Ｓｐ．ｚ  ｏ．ｏ．，Ｇｄａｎｓｋ，Ｐｏｌａｎｄから利用可能なＩＶＯＮＡ  ＴＴＳソフトウェア及びＮａｔｕｒａｌＳｏｆｔ  Ｌｔｄ．，Ｖａｎｃｏｕｖｅｒ，ＢＣ，Ｃａｎａｄａから利用可能なＮａｔｕｒａｌＲｅａｄｅｒなどのソフトウェアを含み得る。
【００５０】
音声作動式のテキストメッセージを介して返答することは、例えば、ユーザが別の個人又は個人のグループに送りたいと望むテキストメッセージのコンテンツをモバイルデバイスのユーザが言語表現することを備え得る。ビークル内のマイクロフォンは、ユーザの言語表現を受信し得る。非限定的な一例では、ユーザは、ユーザの音声を用いてテキストメッセージのコンテンツを言語表現し得る。テキストメッセージは、アウトバウンドテキストメッセージであり得る。ユーザが送りたいと望むテキストメッセージは、テキストメッセージを送りたいと望むユーザの識別情報を示す情報を備え得る。モバイルデバイス検出及び制御システム１０２は、例えば、任意の好適な音声認識ソフトウェアを介して言語表現されたテキストメッセージを変換し得る。好適な音声認識ソフトウェアは、例えば、Ｎｕａｎｃｅ  Ｃｏｍｍｕｎｉｃａｔｉｏｎｓ，Ｉｎｃ．，Ｂｕｒｌｉｎｇｔｏｎ，ＭＡから利用可能なＤｒａｇｏｎ  Ｐｒｏｆｅｓｓｉｏｎａｌ  Ｉｎｄｉｖｉｄｕａｌ及びＦｉｖｅ９，Ｉｎｃ．Ｓａｎ  Ｒａｍｏｎ，ＣＡから利用可能なＦｉｖｅ９  ＩＶＲ  Ｓｙｓｔｅｍなどのソフトウェアを含み得る。非限定的な一態様では、制御信号生成モジュール２１８は、Ｂｌｕｅｔｏｏｔｈ（登録商標）ワイヤレス接続又は１次セルラー通信チャネルに対して２次である任意の他の接続などの２次チャネルを通してモバイルデバイス２００と通信し得る。いくつかの非限定的な態様では、制御信号生成モジュール２１８は、モバイルデバイス２００の１次通信チャネル上でのみ通信し得、さらに１つ又は複数の２次セルラー通信チャネル上で通信し得る。
【００５１】
さらに、検出プロセスが開始されると、モバイルデバイス２００が、スマートフォンであり、検出ゾーン２２０内で検出された場合、非限定的な一態様では、モバイルデバイス検出及び制御システム１０２は、インバウンド電子メールメッセージ、アウトバウンド電子メールメッセージ、又はインバウンド電子メールメッセージとアウトバウンド電子メールメッセージとの両方などのモバイルデバイス２００の電子メーリング機能を使用不能にするように構成され得る。非限定的な一態様では、すべてのインバウンド電子メール又はすべてのアウトバウンド電子メールが保存され得る。モバイルデバイス検出及び制御システム１０２は、論理モジュールを通して、ハンズフリーシステムを介して電子メールを読み返すこと、並びにＢｌｕｅｔｏｏｔｈ（登録商標）／ハンズフリー通信システムを通して音声作動式の電子メールを介して返答することを行うように構成され得る。
【００５２】
さらに、検出プロセスが開始されると、モバイルデバイス２００が、ｉＰａｄ（登録商標）又はＮｅｔｂｏｏｋ（登録商標）デバイスであり、検出ゾーン２２０内で検出された場合、非限定的な一態様では、モバイルデバイス検出及び制御システム１０２は、テキストメッセージング機能、電子メーリング機能、又はテキストメッセージング機能と電子メーリング機能との両方を使用不能にするように構成され得る。すべてのインバウンド電子メールが保存され得る。モバイルデバイス検出及び制御システム１０２は、論理モジュールを通して、ハンズフリー通信システムを介して電子メール又はテキストを読み返すこと、並びにハンズフリー通信システムを通して音声作動式の電子メール又はテキストを介して返答することを行うように構成され得る。いくつかの非限定的な例では、運転管理システムは、モバイルデバイス検出及び制御システム１０２のハードウェア構成要素及びそれらの機能を含む上記で開示し、図１〜図３に示したモバイルデバイス検出及び制御システム１０２を備え得る。運転管理システムは、モバイルデバイス検出及び制御システム１０２のハードウェア構成要素の任意の組合せ又は部分的組合せを備え得る。さらに、運転管理システムは、モバイルデバイス検出及び制御システム１０２のハードウェア構成要素の任意の組合せ又は部分的組合せに関係する追加のハードウェア構成要素を含み得る。非限定的な一例では、運転管理システムは、モバイルデバイス検出及び制御システム１０２のハードウェア構成要素のいずれかを含まないハードウェア構成要素の構成を備え得る。
【００５３】
図４に、ビークル内の所定の検出ゾーン中に位置するモバイルデバイスが存在することを決定するためのフローチャート７００の非限定的な一態様を示す。次に図１〜図４を参照すると、非限定的な一態様では、検出モジュール２０２は、通信信号２０６を受信する７０２。検出モジュール２０２は、通信信号２０６がビークル１００内の所定の検出ゾーン２２０内に位置するモバイルデバイス２００によって送信されたと決定する７０４。制御モジュール２０４は、所定の検出ゾーン２２０内に位置するモバイルデバイス２００に制御信号２１４を送信する７０６。
【００５４】
非限定的な一態様では、モバイルデバイス２００の位置に対応する電位Ｖｄが所定のしきい値Ｖｔに実質的に等しいか又はそれよりも大きいとき、検出モジュール２０２は、制御モジュール２０４に検出信号２１２を送信し、所定のしきい値Ｖｔの電位は、所定の検出ゾーン２２０内のモバイルデバイス２００の存在を示す。
【００５５】
非限定的な一態様では、検出モジュール２０２は、モバイルデバイス２００に関連付けられた複数の周波数帯域を走査する。検出モジュール２０２によって受信された複数の周波数帯域のいずれかにおいて見つけられ得る通信信号２０６の放射電力レベルが、検出モジュール２０２によってモニタされる。測定された放射電力レベルに対応する電圧レベルが、少なくとも所定の値Ｖｔに実質的に等しいか又はそれよりも大きいとき、検出モジュール２０２は、制御モジュール２０４に検出信号２１２を送信する。検出モジュール２０２は、受信された通信信号２０６のエネルギーを収取し、検出ゾーン２２０内のモバイルデバイス２００の位置に対応する電位を生成し得る。
【００５６】
非限定的な一態様では、制御モジュール２０４は、ビークル１００の機能システムをモニタする。制御信号２１４の送信は、モニタされた機能システムが作動され、通信信号が所定の検出ゾーン２２０内に位置するモバイルデバイス２００によって送信されたと検出モジュール２０２が決定するときに作動される。非限定的な一態様では、ビークル１００の機能システムは、イグニションシステム２２４、送信システム２２６、センサ２２８、あるいはそれらの任意の組合せ又は部分的組合せである。非限定的な一態様では、制御モジュール２０４が検出信号２１２を受信すると、制御モジュール２０４は、モバイルデバイス２００を完全に使用不能にするか、モバイルデバイス２００の少なくとも１つの機能を使用不能にするか、又はモバイルデバイス２００の動作をハンズフリー代替システムにリダイレクトし得る。
【００５７】
図５は、本明細書で開示するモバイルデバイスの概略図であり、電子デバイス５００として示されている。電子デバイス５００は、モバイルデバイスをリモートで使用不能にするシステム及び方法を実装することが可能である。電子デバイス５００の構成要素は、プロセッササブシステム５０１と、入出力サブシステム５０３と、メモリサブシステム５０５と、通信インタフェース５０７と、システムバス５０９とを備え得る。いくつかの非限定的な態様では、電子デバイス５００構成要素の１つ又は２つ以上が、組み合わされるか、又は、例えば、通信インタフェース５０７を含まないなど省略され得る。非限定的な態様では、電子デバイス５００は、組み合わされないか、又は図５に示すものの中に備えられた他の構成要素を備え得る。例えば、電子デバイス５００はまた、電力サブシステムを備え得る。他の非限定的な態様では、電子デバイス５００は、図５に示す構成要素のいくつかのインスタンスを備え得る。例えば、電子デバイス５００は、複数のメモリサブシステム５０５を備え得る。限定ではなく、簡潔及び明快さのために、構成要素の各々のうちのただ１つを図５に示す。
【００５８】
プロセッササブシステム５０１は、電子デバイス５００の動作及びパフォーマンスを制御するように動作可能な任意の処理回路を備え得る。様々な非限定的な態様では、プロセッササブシステム５０１は、汎用プロセッサ、チップマルチプロセッサ（ＣＭＰ）、専用プロセッサ、組込みプロセッサ、デジタル信号プロセッサ（ＤＳＰ）、ネットワークプロセッサ、メディアプロセッサ、入出力（Ｉ／Ｏ）プロセッサ、媒体アクセス制御（ＭＡＣ）プロセッサ、無線ベースバンドプロセッサ、コプロセッサ、複合命令セットコンピュータ（ＣＩＳＣ）マイクロプロセッサなどのマイクロプロセッサ、縮小命令セットコンピューティング（ＲＩＳＣ）マイクロプロセッサ、及び／又は超長命令語（ＶＬＩＷ）マイクロプロセッサ、あるいは他の処理デバイスとして実装され得る。プロセッササブシステム５０１はまた、コントローラ、マイクロコントローラ、特定用途向け集積回路（ＡＳＩＣ）、フィールド・プログラマブル・ゲート・アレイ（ＦＰＧＡ）、プログラマブル論理デバイス（ＰＬＤ）などによって実装され得る。
【００５９】
様々な非限定的な態様では、プロセッササブシステム５０１は、オペレーティングシステム（ＯＳ）及び様々なモバイルアプリケーションを実行するように構成され得る。ＯＳの例は、例えば、アップルＯＳ、Ｍｉｃｒｏｓｏｆｔ  Ｗｉｎｄｏｗｓ  ＯＳ、Ａｎｄｒｏｉｄ  ＯＳの商標名で一般に知られているオペレーティングシステム及び任意の他のプロプライエタリ又はオープンソースのＯＳを備える。モバイルアプリケーションの例は、例えば、電話アプリケーションと、カメラ（例えば、デジタルカメラ、ビデオカメラ）アプリケーションと、ブラウザアプリケーションと、マルチメディアプレーヤアプリケーションと、ゲームアプリケーションと、メッセージングアプリケーション（例えば、電子メール、ショートメッセージ、マルチメディア）と、ビューアアプリケーションとを備える。
【００６０】
いくつかの非限定的な態様では、電子デバイス５００は、処理サブシステム５０１と、入出力サブシステム５０３と、メモリサブシステム５０５とを含む様々なシステム構成要素を一緒に結合するシステムバス５０９を備え得る。システムバス５０９は、限定はしないが、９ビット・バス、工業標準アーキテクチャ（ＩＳＡ）、マイクロチャネル・アーキテクチャ（ＭＳＡ）、拡張ＩＳＡ（ＥＩＳＡ）、インテリジェント・ドライブ・エレクトロニクス（ＩＤＥ）、ＶＥＳＡローカルバス（ＶＬＢ）、Ｐｅｒｉｐｈｅｒａｌ  Ｃｏｍｐｏｎｅｎｔ  Ｉｎｔｅｒｃｏｎｎｅｃｔ  Ｃａｒｄ  Ｉｎｔｅｒｎａｔｉｏｎａｌ  Ａｓｓｏｃｉａｔｉｏｎ  Ｂｕｓ（ＰＣＭＣＩＡ）、スモール・コンピュータ・インタフェース（ＳＣＳＩ）又は他のプロプライエタリ・バス、あるいはモバイル・コンピューティング・デバイス・アプリケーションに好適な任意のカスタムバスを含む任意の様々な利用可能なバスアーキテクチャを使用するメモリバス又はメモリコントローラ、周辺バス又は外部バス、及び／あるいはローカルバスを含むいくつかのタイプのバス構造のいずれかであり得る。
【００６１】
図６に、図５に示した電子デバイス５００の入出力サブシステム５０３の非限定的な一態様を示す。入出力サブシステム５０３は、少なくとも、ユーザに電子デバイス５００に入力を与えることを可能にし、電子デバイス５００にユーザに出力を与えることを可能にするために任意の好適な機構又は構成要素を備え得る。例えば、入出力サブシステム５０３は、限定はしないが、ボタン、キーパッド、キーボード、クリックホイール、タッチスクリーン又はモーションセンサを含む任意の好適な入力機構を備え得る。いくつかの非限定的な態様では、入出力サブシステム５０３は、容量感知機構又はマルチタッチ容量感知機構を備え得る。容量感知機構の説明は、両方が、参照によりその全体が本明細書に組み込まれる、「Ｇｅｓｔｕｒｅｓ  ｆｏｒ  Ｔｏｕｃｈ  Ｓｅｎｓｉｔｉｖｅ  Ｉｎｐｕｔ  Ｄｅｖｉｃｅ」と題する米国特許出願公開番号第２００６／００２６５２１号及び「Ｍｏｄｅ−Ｂａｓｅｄ  Ｇｒａｐｈｉｃａｌ  Ｕｓｅｒ  Ｉｎｔｅｒｆａｃｅｓ  ｆｏｒ  Ｔｏｕｃｈ  Ｓｅｎｓｉｔｉｖｅ  Ｉｎｐｕｔ  Ｄｅｖｉｃｅ」と題する米国特許公開第２００６／００２６５３５号に発見され得る。本明細書で説明する入力機構の任意が、物理的機械的構成要素、仮想要素、及び／又はそれらの組合せとして実装され得ることを諒解されよう。
【００６２】
いくつかの非限定的な態様では、入出力サブシステム５０３の構成要素は、視覚的周辺出力デバイス６０１と、モーションセンサ６０３と、仮想入出力システム６０５と、オーディオ周辺出力デバイス６０７とを備え得る。いくつかの非限定的な態様では、入出力サブシステム５０３構成要素の１つ又は２つ以上が、組み合わされるか、又は、例えば、オーディオ周辺出力デバイス６０７を含まないなど省略され得る。入出力サブシステム５０３の構成要素の各々は、構成要素の間の通信を可能にするように構成されたシステムバス６０９に動作可能に接続され得る。システムバス５０９は、限定はしないが、９ビットバス、工業標準アーキテクチャ（ＩＳＡ）、マイクロチャネル・アーキテクチャ（ＭＳＡ）、拡張ＩＳＡ（ＥＩＳＡ）、インテリジェント・ドライブ・エレクトロニクス（ＩＤＥ）、ＶＥＳＡローカルバス（ＶＬＢ）、Ｐｅｒｉｐｈｅｒａｌ  Ｃｏｍｐｏｎｅｎｔ  Ｉｎｔｅｒｃｏｎｎｅｃｔ  Ｃａｒｄ  Ｉｎｔｅｒｎａｔｉｏｎａｌ  Ａｓｓｏｃｉａｔｉｏｎ  Ｂｕｓ（ＰＣＭＣＩＡ）、スモール・コンピュータ・インタフェース（ＳＣＳＩ）又は他のプロプライエタリ・バス、あるいはモバイル・コンピューティング・デバイス・アプリケーションに好適な任意のカスタムバスを含む任意の様々な利用可能なバスアーキテクチャを使用するメモリバス若しくはメモリコントローラ、周辺バス若しくは外部バス、及び／又はローカルバスを含むいくつかのタイプのバス構造のいずれかであり得る。他の非限定的な態様では、入出力サブシステム５０３は、組み合わされないか、又は図６に示すものの中に備えられた他の構成要素を備え得る。
【００６３】
いくつかの非限定的な態様では、入出力サブシステム５０３は、例えば、オーディオ周辺出力デバイス６０７などの出力デバイスに関連付けられた特殊な出力回路を備え得る。オーディオ周辺出力デバイス６０７は、電子デバイスに統合される１つ又は複数のスピーカを含むオーディオ出力を備え得る。スピーカは、例えば、モノラル又はステレオスピーカであり得る。オーディオ周辺出力デバイス６０７はまた、例えば、通信サブシステム５０７を通してオーディオ周辺出力デバイス６０７に結合され得るヘッドセット、ヘッドフォン、及び／又はイヤバッドなどのオーディオ周辺出力デバイス６０７にリモートで結合されたオーディオ構成要素を備え得る。
【００６４】
いくつかの非限定的な態様では、入出力サブシステム５０３は、ユーザに視認可能なディスプレイを与えるための視覚的周辺出力デバイス６０１を備え得る。例えば、視覚的周辺出力デバイス６０１は、電子デバイス５００に組み込まれる、例えば、液晶ディスプレイ（ＬＣＤ）画面などの画面を備え得る。別の例として、視覚的周辺出力デバイス６０１は、電子デバイス５００から離れた面上にコンテンツのディスプレイを与えるための移動可能なディスプレイ又は投影システムを備え得る。いくつかの非限定的な態様では、視覚的周辺出力デバイス６０１は、デジタルメディアデータをアナログ信号に変換するためにコーデックとしても知られるコーダ／デコーダを備えることができる。例えば、視覚的周辺出力デバイス６０１は、ビデオコーデック、オーディオコーデック、又は任意の他の好適なタイプのコーデックを備え得る。
【００６５】
視覚的周辺出力デバイス６０１はまた、ディスプレイドライバ、ディスプレイドライバを駆動するための回路、又はディスプレイドライバとディスプレイドライバを駆動するための回路との両方を備え得る。視覚的周辺出力デバイス６０１は、プロセッササブシステム５０１の指示に従ってコンテンツを表示するように動作可能であり得る。非限定的な一例では、視覚的周辺出力デバイス６０１は、メディア再生情報、電子デバイス５００上に実装されたアプリケーションのためのアプリケーション画面、下り通信動作に関する情報、上り通信要求に関する情報、又は電子デバイス５００の動作に関する情報を表示するように構成され得る。
【００６６】
いくつかの非限定的な態様では、入出力サブシステム５０３は、モーションセンサ６０３を備え得る。モーションセンサ６０３は、電子デバイス５００の移動を検出するように動作可能な任意の好適なモーションセンサを備え得る。例えば、モーションセンサ６０３は、ユーザによって操作された電子デバイス５００の加速又は減速を検出するように動作可能であり得る。いくつかの非限定的な態様では、モーションセンサ６０３は、３つの方向（すなわち、ｘ又は左／右方向、ｙ又は上／下方向、及びｚ又は前／後方向）の線形加速度を検出するように動作可能な１つ又は複数の３軸加速モーションセンサ（例えば、加速度計）を備え得る。別の例として、モーションセンサ６０３は、ｘ又は左／右方向及びｙ又は上／下方向（又は任意の他のペアの方向）の各々に沿ってのみ線形加速度を検出するように動作可能であり得る１つ又は複数の二軸加速モーションセンサを備え得る。いくつかの非限定的な態様では、モーションセンサ６０３は、シリコンマイクロ加工ＭＥＭＳ（微小電子機械システム）技術に基づく静電キャパシタンス（容量結合）加速度計、圧電型加速度計、ピエゾ抵抗型加速度計、又は任意の他の好適な加速度計を備え得る。
【００６７】
いくつかの非限定的な態様では、モーションセンサ６０３は、回転、回転運動、角変位、傾き、位置、向き、非線形の（例えば、弓形の）経路に沿った動き、又は任意の他の非線形の動きを直接検出するように動作可能であり得る。例えば、モーションセンサ６０３が直線運動センサであるとき、非線形の動きの一部又は全部を間接的に検出するために追加の処理が使用され得る。例えば、モーションセンサ６０３の線形出力と重力ベクトル（すなわち、静的加速）とを比較することによって、モーションセンサ６０３は、ｙ軸に対する電子デバイス５００の傾きを計算するように動作可能であり得る。いくつかの非限定的な態様では、モーションセンサ６０３は、代わりに又は追加で、回転運動を検出するための１つ又は複数のジャイロ運動センサ又はジャイロスコープを備え得る。例えば、モーションセンサ６０３は、回転又は振動要素を備え得る。
【００６８】
いくつかの非限定的な態様では、モーションセンサ６０３は、加速度計又はジャイロスコープに結合された１つ又は複数のコントローラ（図示せず）を備え得る。コントローラは、電子デバイス５００の移動ベクトルを計算するために使用され得る。移動ベクトルは、加速度計又はジャイロスコープによって与えられた移動データ（例えば、ｘ、ｙ、及びｚ軸の移動情報）に基づいて１つ又は複数の所定の公式に従って決定され得る。
【００６９】
いくつかの非限定的な態様では、入出力サブシステム５０３は、仮想入出力システム６０５を備え得る。仮想入出力システム６０５は、仮想入力型を作成するために１つ又は複数の入出力構成要素を組み合わせることによって入出力オプションを与えることが可能である。例えば、仮想入出力システム６０５によって、ユーザは、タッチスクリーンを利用し、物理キーボードの動作を模倣するオンスクリーンキーボードを通して情報を入力すること、又は画面上のポインタを制御するためにモーションセンサ６０３を使用することが可能になり得る。別の例として、仮想入出力システム６０５により、様々な身体障害を有する人によるデバイスの使用を可能にする入力及び出力の代替方法が使用可能になり得る。例えば、仮想入出力システム６０５は、読書障害を有する人がデバイスを動作することを可能にするためにオンスクリーンテキストを音声に変換し得る。
【００７０】
図７に、通信インタフェース５０７の非限定的な態様を示す。通信インタフェース５０７は、電子デバイス５００を１つ又は複数のネットワーク及び／又はデバイスに結合することが可能である任意の好適なハードウェア、ソフトウェア、あるいはハードウェアとソフトウェアとの組合せを備え得る。通信インタフェース５０７は、所望のセットの通信プロトコル、サービス又は動作手順を使用して情報信号を制御するための任意の好適な技法を用いて動作するように構成され得る。通信インタフェース５０７は、ワイヤードであれワイヤレスであれ、対応する通信媒体と接続するために適切な物理的コネクタを備え得る。
【００７１】
通信方法は、ネットワークを備える。様々な非限定的な態様では、ネットワークは、ローカルエリアネットワーク（ＬＡＮ）並びに、限定はしないが、インターネットを含むワイドエリアネットワーク（ＷＡＮ）と、ワイヤードチャネルと、ワイヤレスチャネルと、電話を含む通信デバイスと、コンピュータと、ワイヤ、無線、光又は他の電磁チャネルと、データを通信することが可能な又はそれに関連付けられた他のデバイス及び構成要素を含むそれらの組合せ又は部分的組合せとを備え得る。例えば、通信環境は、人体通信と、様々なデバイスと、ワイヤレス通信、ワイヤード通信、及びそれらの組合せ又は部分的組合せなどの様々なモードの通信とを備える。
【００７２】
ワイヤレス通信モードは、少なくとも部分的に、ワイヤレス送信、データ、及びデバイスに関連付けられた様々なプロトコル及びプロトコルの組合せを含むワイヤレス技術を利用するポイント（例えば、ノード）間の通信の任意のモードを備える。ポイントは、例えば、ワイヤレスヘッドセット、オーディオプレーヤ及びマルチメディアプレーヤなどのオーディオ及びマルチメディアデバイス及び機器、携帯電話及びコードレス電話などの電話、コンピュータ及びプリンタなどのコンピュータ関連デバイス及び構成要素などのワイヤレスデバイスを備える。
【００７３】
ワイヤード通信モードは、ワイヤード送信、データ、及びデバイスに関連付けられた様々なプロトコル及びプロトコルの組合せを含むワイヤード技術を利用するポイント間の通信の任意のモードを備える。ポイントは、例えば、オーディオプレーヤ及びマルチメディアプレーヤなどのオーディオ及びマルチメディアデバイス及び機器、携帯電話及びコードレス電話を含む電話、コンピュータ及びプリンタなどのコンピュータ関連デバイス及び構成要素などのデバイスを備える。様々な実装形態では、ワイヤード通信モジュールは、いくつかのワイヤード・プロトコルに従って通信し得る。ワイヤード・プロトコルの例としては、ほんのいくつかの例を挙げれば、ユニバーサル・シリアル・バス（ＵＳＢ）通信、ＲＳ−２３２、ＲＳ−４２２、ＲＳ−４２３、ＲＳ−４８５シリアル・プロトコル、ＦｉｒｅＷｉｒｅ、イーサネット（登録商標）、ファイバーチャネル、ＭＩＤＩ、ＡＴＡ、シリアルＡＴＡ、ＰＣＩ  Ｅｘｐｒｅｓｓ、Ｔ−１（及び変形形態）、工業標準アーキテクチャ（ＩＳＡ）パラレル通信、スモール・コンピュータ・システム・インタフェース（ＳＣＳＩ）通信、又はＰｅｒｉｐｈｅｒａｌ  Ｃｏｍｐｏｎｅｎｔ  Ｉｎｔｅｒｃｏｎｎｅｃｔ（ＰＣＩ）通信があり得る。
【００７４】
したがって、様々な非限定的な態様では、通信インタフェース５０７は、例えば、ワイヤレス通信インタフェース７０５、ワイヤード通信インタフェース７０３、ネットワークインタフェース７０１、送信インタフェース、受信インタフェース、メディアインタフェース、システムインタフェース、コンポーネントインタフェース、切替えインタフェース、チップインタフェース、及びコントローラなどの１つ又は複数のインタフェースを備え得る。非限定的な一例では、ワイヤレスデバイスによって実装されるか、又はワイヤレスシステム内に実装されると、通信インタフェース５０７は、１つ又は複数のアンテナ７０７、送信機、受信機、トランシーバ、増幅器、フィルタ、及び制御論理、又はそれらの任意の組合せ又は部分的組合せを備えるワイヤレスインタフェース７０５を備え得る。いくつかの非限定的な態様では、通信インタフェース５０７の１つ又は複数のインタフェースが、組み合わされるか、又は、例えば、ワイヤード通信インタフェース７０３を含まないなど省略され得る。
【００７５】
様々な非限定的な態様では、通信インタフェース５０７は、異なるタイプのセルラー無線電話システムによる音声及び／又はデータ通信機能を与え得る。様々な実装形態では、説明する非限定的な態様は、いくつかのワイヤレス・プロトコルに従ってワイヤレス共有媒体を介して通信し得る。ワイヤレス・プロトコルの例としては、ＩＥＥＥ８０２．１１ａ／ｂ／ｇ／ｎ、ＩＥＥＥ８０２．１６、ＩＥＥＥ８０２．２０などの電気電子技術者協会（ＩＥＥＥ）８０２．ｘｘシリーズのプロトコルを含む様々なワイヤレス・ローカル・エリア・ネットワーク（ＷＬＡＮ）プロトコルがあり得る。ワイヤレス・プロトコルの他の例としては、ＧＰＲＳをもつＧＳＭ（登録商標）セルラー無線電話システム・プロトコル、１ｘＲＴＴをもつＣＤＭＡセルラー無線電話通信システム、ＥＤＧＥシステム、ＥＶ−ＤＯシステム、ＥＶ−ＤＶシステム、ＨＳＤＰＡシステムなどの様々なワイヤレス・ワイド・エリア・ネットワーク（ＷＷＡＮ）プロトコルを備え得る。ワイヤレス・プロトコルのさらなる例としては、赤外線プロトコル、Ｂｌｕｅｔｏｏｔｈ（登録商標）仕様バージョンｖ１．０、ｖ１．１、ｖ１．２、ｖ２．０、拡張データレート（ＥＤＲ）をもつｖ２．０を含むＢｌｕｅｔｏｏｔｈ（登録商標）  Ｓｐｅｃｉａｌ  Ｉｎｔｅｒｅｓｔ  Ｇｒｏｕｐ（ＳＩＧ）シリーズのプロトコルからのプロトコル、並びに１つ又は複数のＢｌｕｅｔｏｏｔｈ（登録商標）プロファイルなどのワイヤレス・パーソナル・エリア・ネットワーク（ＰＡＮ）プロトコルがあり得る。ワイヤレス・プロトコルのまた別の例としては、電磁気誘導（ＥＭＩ）技法などの近距離通信技法及びプロトコルがあり得る。ＥＭＩ技法の一例としては、パッシブ又はアクティブ無線周波識別（ＲＦＩＤ）プロトコル及びデバイスがあり得る。他の好適なプロトコルは、超広帯域（ＵＷＢ）、デジタルオフィス（ＤＯ）、デジタルホーム、トラステッドプラットフォームモジュール（ＴＰＭ）、ＺｉｇＢｅｅなどを備え得る。
【００７６】
様々な実装形態では、説明する非限定的な態様は、セルラー通信システムの部分を備え得る。セルラー通信システムの例としては、ＣＤＭＡセルラー無線電話通信システム、ＧＳＭ（登録商標）セルラー無線電話システム、北米デジタル・セルラー（ＮＡＤＣ）セルラー無線電話システム、時分割多元接続（ＴＤＭＡ）セルラー無線電話システム、拡張ＴＤＭＡ（Ｅ−ＴＤＭＡ）セルラー無線電話システム、Ｎａｒｒｏｗｂａｎｄ  Ａｄｖａｎｃｅｄ  Ｍｏｂｉｌｅ  Ｐｈｏｎｅ  Ｓｅｒｖｉｃｅ（ＮＡＭＰＳ）セルラー無線電話システム、ＷＣＤＭＡ（登録商標）、ＣＤＭＡ−２０００などの第３世代（３Ｇ）ワイヤレス規格システム、第３世代パートナーシップ・プロジェクト（３ＧＰＰ）に準拠するＵＭＴＳセルラー無線電話システム、第４世代（４Ｇ）ワイヤレス規格などがあり得る。
【００７７】
図８に、メモリサブシステム５０５の非限定的な一態様を示す。メモリサブシステム５０５は、揮発性／不揮発性メモリと取外し可能／取外し不能メモリとの両方を含むデータを記憶することが可能な任意の機械可読又はコンピュータ可読媒体を備え得る。メモリサブシステム５０５は、少なくとも１つの不揮発性メモリユニット８０１を備え得る。不揮発性メモリユニット８０１は、１つ又は複数のソフトウェアプログラム８０３ａ〜８０３ｎを記憶することが可能である。ソフトウェアプログラム８０３ａ〜８０３ｎは、例えば、アプリケーション、ユーザデータ、デバイスデータ及び／又は構成データ、あるいはそれらの任意の組合せ又は部分的組合せを備え得る。ソフトウェアプログラム８０３ａ〜８０３ｎは、電子デバイス５００の様々な構成要素によって実行可能な命令を含み得る。いくつかの非限定的な態様では、メモリサブシステム５０５の１つ又は２つ以上が、組み合わされるか、又は、例えば、不揮発性メモリユニット８０１を含まないなど省略され得る。インタフェース８０５は、不揮発性メモリユニット８０１とシステムバス５０９とに接続し得る。いくつかの追加の非限定的な例では、運転管理システムは、図５〜図８に関して上記で開示したように電子デバイス５００の構成要素及び機能をさらに含み得る。いくつかの非限定的な例では、運転管理システムは、電子デバイス５００のハードウェア構成要素及びそれらの機能を含む上記で開示した電子デバイス５００を備え得る。運転管理システムは、電子デバイス５００のハードウェア構成要素の任意の組合せ又は部分的組合せを備え得る。さらに、運転管理システムは、電子デバイス５００のハードウェア構成要素の任意の組合せ又は部分的組合せに関係する追加のハードウェア構成要素を含み得る。非限定的な一例では、運転管理システムは、電子デバイス５００のハードウェア構成要素のいずれかを含まないハードウェア構成要素の構成を備え得る。
【００７８】
様々な非限定的な態様では、メモリサブシステム５０５は、揮発性／不揮発性メモリと取外し可能／取外し不能メモリとの両方を含むデータを記憶することが可能な任意の機械可読又はコンピュータ可読媒体を備え得る。例えば、メモリは、読取り専用メモリ（ＲＯＭ）、ランダムアクセスメモリ（ＲＡＭ）、ダイナミックＲＡＭ（ＤＲＡＭ）、ダブル・データ・レートＤＲＡＭ（ＤＤＲ−ＲＡＭ）、同期ＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ（例えば、ＮＯＲ又はＮＡＮＤフラッシュメモリ）、連想メモリ（ＣＡＭ）、ポリマーメモリ（例えば、強誘電体ポリマーメモリ）、相変化メモリ（例えば、オボニックメモリ）、強誘電体メモリ、ｓｉｌｉｃｏｎ−ｏｘｉｄｅ−ｎｉｔｒｉｄｅ−ｏｘｉｄｅ−ｓｉｌｉｃｏｎ（ＳＯＮＯＳ）型メモリ、ディスクメモリ（例えば、フロッピーディスク、ハードドライブ、光ディスク、磁気ディスク）、又はカード（例えば、磁気カード、光学カード）、あるいは情報を記憶するのに好適な任意の他のタイプのメディアを備え得る。
【００７９】
いくつかの非限定的な態様では、メモリサブシステム５０５は、モバイル・コンピューティング・デバイス５００をリモートで使用不能にするためのソフトウェアプログラムを含み得る。非限定的な一態様では、メモリサブシステム５０５は、モバイル・コンピューティング・デバイスをリモートで使用不能にする方法を実行するためのファイル８０３ｎの形態の命令セットを含み得る。命令セットは、ソース・コード又は様々な適切なプログラミング言語を含む機械可読命令の任意の許容可能な形態で記憶され得る。命令セットを記憶するために使用され得るプログラミング言語のいくつかの例としては、限定はしないが、Ｊａｖａ（登録商標）、Ｃ、Ｃ＋＋、Ｃ＃、Ｐｙｔｈｏｎ、Ｏｂｊｅｃｔｉｖｅ−Ｃ、Ｖｉｓｕａｌ  Ｂａｓｉｃ、又は．ＮＥＴプログラミングを備える。いくつかの非限定的な態様では、コンパイラ又はインタプリタは、処理サブシステム５０１が実行するための機械実行可能コードに命令セットを変換するように構成される。
【００８０】
図９に、モバイルデバイスを動作させるための方法９００のためのフローチャートを示す。方法９００は、Ｂｌｕｅｔｏｏｔｈ（登録商標）  Ｌｏｗ  Ｅｎｅｒｇｙ（ＢＬＥ）技術を介して通信するように構成された運転管理システムを作動させる９０１ことを備える。モバイルデバイスは、ＢＬＥ技術を介して運転管理システムとモバイルデバイスとの間の通信チャネルを確立し得る９０３。モバイルデバイスはまた、運転管理システムに通信チャネルを介してモバイルデバイスに関連付けられた情報を送信し得る９０５。方法９００は、モバイルデバイスの動作を運転管理システムと同期させること９０７をさらに備え得る。非限定的な一態様では、運転管理システムは、前に説明したモバイルデバイス検出及び制御システム１０２を備え得る。運転管理システムは、ビークル内に位置し得る。非限定的な一態様では、運転管理システムは、ビークルのハンズフリー通信システム、ビークルのナビゲーションシステム、又はそれらの任意の組合せ又は部分的組合せをさらに備え得る。非限定的な一例では、モバイルデバイスの動作を運転管理システムと同期させることは、モバイルデバイスの動作を運転管理システムと同期させることを備え得る。モバイルデバイスの動作をナビゲーションシステムと同期させることは、開始位置から終了位置にビークルを運転するための方法の決定、又は開始位置から終了位置にビークルを運転するために必要な時間の長さの決定など、１つの位置から第２の位置へのルート又は方向に関係する同期決定を備え得る。時間の長さの決定は、例えば、開始位置から終了位置までに必要とされる時間の最小長さであり得る。時間の長さはまた、開始位置から終了位置まで運転するのに必要な距離の最小量に基づいて決定され得る。
【００８１】
図１０に、情報を通信するための方法１０００のためのフローチャートを示す。方法１０００は、運転管理システムによって、ビークル内に位置する第１のモバイルデバイスの第１の位置がビークルの運転手の位置に対応すると決定すること１００１を備える。運転管理システムは、自動車などのビークルのナビゲーションシステムに第１のモバイルデバイスによるデータ入力を使用不能にし得る１００３。運転管理システムは、ビークル内の第２のモバイルデバイスの第２の位置がビークルの運転手の位置に対応しないと決定し得る１００５。運転管理システムは、第２のモバイルデバイスから受信されたデータに基づいて第２のモバイルデバイスによるナビゲーションシステムへのデータ入力を有効化し得る１００７。非限定的な態様によれば、ビークル内の第１のモバイルデバイスの第１の位置がビークルの運転手の位置に対応すると決定すること１００１は、連続的に繰り返され得る。例えば、ビークルが連続的に移動している場合、決定すること１００１は、第１のモバイルデバイスについてナビゲーションシステムへのデータ入力が連続的に使用不能にされる１００３ように繰り返され得る。非限定的な態様によれば、ビークル内の第２のモバイルデバイスの第２の位置がビークルの運転手の位置に対応しないと決定すること１００５は、連続的に繰り返され得る。いくつかの非限定的な態様では、方法１０００は、運転管理システムの制御モジュールによって、第１のモバイルデバイスに制御信号を送信することであって、制御信号は、第１のモバイルデバイスの動作を制限するか又は使用不能にするように構成される、送信することをさらに備え得る。制御信号は、第１のモバイルデバイスの通信機構を防止するように構成され得る。いくつかの非限定的な態様では、方法１０００は、運転管理システムの感知モジュールによって、所定の検出ゾーン内の第１のモバイルデバイス又は第２のモバイルデバイスによって発せられた通信信号を感知することをさらに備え得る。
【００８２】
図１１に、データを収集するための方法１１００のための論理図を示す。方法１１００は、運転管理システムを作動させること１１０１を備える。運転管理システムは、運転習慣情報を受信し得る１１０３。運転管理システムは、モバイルデバイスの位置を決定することであって、位置が、所定の検出ゾーン内にある、決定することを行い得る１１０５。運転管理システムは、モバイルデバイスから識別情報を受信し得る１１０７。運転管理システムは、運転習慣情報に識別情報を関連付け得る１１０９。いくつかの非限定的な態様では、所定の検出ゾーンは、ビークルの運転席に近接している３次元ゾーンを備える。いくつかの非限定的な態様では、方法１１００は、非一過性の記録媒体中にモバイルデバイスの識別情報に関連付けられた運転習慣情報を記憶することと、ビークルのセンサによって感知されたデータに基づいて、ビークルのナビゲーションシステムによって運転習慣情報を決定することとをさらに備え得る。運転習慣情報は、例えば、運転速度パターン、ブレーキペダルパターン、ステアリングホイールパターン、あるいはそれらの任意の組合せ又は部分的組合せなどの情報であり得る。いくつかの非限定的な態様では、方法１１００は、運転管理システムによって、ビークルの出口点又は入口点がアクセスされた時間を決定することをさらに備え得る。非限定的な一態様では、運転管理システムは、上記で説明したモバイルデバイス検出及び制御システム１０２を備え得る。
【００８３】
いくつかの非限定的な態様では、運転習慣情報は、特定の運転手に対応する運転の特定のパターン又は方法を備え得る。いくつかの非限定的な例では、運転手の運転習慣は、運転速度パターン、ブレーキペダルの使用パターン、及びステアリングホイールの使用パターンのうちの１つ又は複数を含み得る。非限定的な一態様では、運転速度パターンは、例えば、道路上の掲示された速度制限に対して一般に過度である速度で運転する運転手の傾向、運転手が実質的に一定の速度で運転するのを維持する頻度、及び初期停止状態から移動状態にビークルを運転している運転手の典型的な加速を指すことがある。典型的な加速は、例えば、運転手が初期停止状態から移動状態にビークルを運転する各インスタンスについて０マイル毎時（ｍｐｈ）から４０ｍｐｈまでなどのあらかじめ定義されたしきい値までの加速を平均化することによって計算され得る。加速は、例えば、０ｍｐｈ〜２０ｍｐｈ又は６０ｍｐｈなどの異なるしきい値に基づいて決定され得る。非限定的な一例では、そのような運転速度パターン運転習慣情報は、ビークルのモーションセンサ、加速度計、又は速度計などの速度センサに基づいて決定され得る。一般に過度である速度で運転する運転手の傾向及び運転手が実質的に一定の速度で運転するのを維持する頻度は、運転管理システムによって、速度センサによって感知されたビークルの速度データをモニタすることに基づいて決定され得る。
【００８４】
したがって、様々な非限定的な態様では、ビークルは、ビークルの１つ又は複数のセンサによって生成されたデータをモニタし、モニタされたデータに基づいて運転習慣情報を決定し得る。非限定的な一例では、ビークルのハンズフリーシステム又はナビゲーションシステムは、データをモニタし、モニタデータに基づいて運転習慣情報を決定する。非限定的な一態様では、ブレーキペダルパターンは、例えば、運転手がブレーキペダルを押下する典型的な頻度、運転手がブレーキペダルを押下する典型的な長さ、及び運転がブレーキペダルを押下する典型的な速度を指すことがある。非限定的な一例では、一般に、比較的高速度でブレーキペダルを押下する運転手は、運転手がぎくしゃくした急激な様子でビークルを制動する習慣を有することを示し得る。別の非限定的な態様では、ステアリングホイールパターンは、例えば、運転手がぎくしゃくした移動ではなくスムーズな移動で操縦するのかどうかなどのファクタに基づいて評価され得る運転手によるステアリングホイールの扱いを指すことがある。いくつかの非限定的な態様では、１つ又は複数のセンサは、運転手がブレーキペダルを押下する速度、及び運転手がステアリングホイールを扱うときのステアリングホイールの向きの変化を感知し得る。ビークルは、運転手の運転習慣情報を決定するためにそのような感知された速度及び向きの変化をモニタし得る。
【００８５】
図１２に、運転管理システムを使用するルート・データを収集するための方法を示す。非限定的な一態様では、運転管理システムは、上記で説明したモバイルデバイス検出及び制御システム１０２を備え得る。図１２に、標示された位置Ｓ１〜Ｓ１５を備えるルート１２０１の非限定的な態様を示し、ここで、位置Ｓ１〜Ｓ１５に関する位置データは、ビークルがルート１２０１に沿って移動するときに運転管理システムよって収集され得る。位置データは、データベース中に記憶され得、適宜に、ＧＰＳ座標、緯度及び経度座標、又は他のデータフォーマットを備え得る。非限定的な一態様では、位置データは、運転管理システムを備えるモバイルデバイス中に位置するデータベース中に記憶され得る。別の非限定的な態様では、データベースは、ビークル内に位置し得るが、ビークル内に位置するモバイルデバイスとは別個のものであり得る。したがって、オンボードデータベースは、運転管理システムからの情報に基づいてアセンブルされ得る。さらに、図１２に、位置のセットとしてデータベース中に記憶され得る位置Ｓ１〜Ｓ１５のサブセットであるサンプルの運転手の旅程又はルート１２０３を示す。ルート１２０３は、位置Ｓ１、Ｓ２、Ｓ３、Ｓ４、Ｓ５、Ｓ６、Ｓ７、Ｓ８の順序付きセットとして示されている。ルート１２０３は、運転手の起点位置から始まり、位置Ｓ８として示される運転手の目的地位置において完了する。位置データは、収集されると、様々な目的のために使用され得る。
【００８６】
ルート１２０３についての位置データを収集することによって、ルート１２０３に関する情報は、品物又は人がどこに輸送されたのかについて決定するために使用され得る。非限定的な一態様では、ルート１２０３についての位置データは、ルート１２０３を移動したビークルの運転手にはアクセス不可能であるが、税関執行局などの当局にとってアクセス可能であり得るデータベース中に記憶され得る。情報により、そのような当局は、商品又は人がどこを移動したのかを追跡することが可能になることになる。別の非限定的な態様では、ルート情報は、配送運転手が、ルート１２０３の位置データにアクセスする、及び／又はそれを変更することができないことがあるが、配送運転手が所望のルートを完了したことを保証するために配送会社の監督者又は他の従業員がルート１２０３を分析することが可能になり得るように配送会社によって使用され得る。非限定的な一態様では、ルート１２０３に関する情報は、最初の位置から最終目的地に移動するときに運転手が最も効率的なルートを利用することを保証するために使用され得る。運転管理システムはまた、ルート１２０３に関する位置情報が収集された時間に関する情報を収集するために使用され得る。時間情報は、ビークルがルート１２０３を移動したサービス時間を決定するために使用され得る。サービス時間は、ビークルが適切な時間に動作したこと、又はビークルの貨物が適切な時間に輸送されていたことのいずれかを保証するために所定の時間間隔と比較され得る。
【００８７】
非限定的な態様によれば、運転管理システムは、ルート１２０３に関連付けられた位置情報に追加の情報を収集し得る。非限定的な一態様では、センサは、運転管理システムがビークルの出口点又は入口点がアクセスされたときについての情報を収集することが可能なビークル上に位置し得る。これによって、ビークルが停止されたのかどうか及び運転手がビークルを出たのかどうかを又は当事者がビークルに入ったのかどうかを他の当事者が決定することが可能になり得る。さらに、センサはまた、ビークルの貨物エリア又はパッセンジャエリアの入口／出口上に位置し得る。情報は、ルート１２０３の移動中に貨物エリアがアクセスされたのかどうか、又はルート１２０３の移動の間に乗員がビークルを出入りしたのかどうかを決定するために収集され得る。さらに、センサは、ビークル内で搬送されている貨物内に配置され得、情報は、貨物がビークルから降りた時間を決定するために収集され得る。この情報は、品物材の適切な配送を保証するために使用され得る。図１２に示した方法のステップを実行するために、上記で開示したように、運転管理システムは、非一過性の記録媒体中に記憶されたコンピュータ実行可能命令をさらに備え得る。コンピュータ実行可能命令は、例えば、プロセッサ又はマイクロプロセッサなどのコンピュータ又はコンピュータシステムによって実行され得る。非限定的な例では、図５〜図８に関して以前に開示した構成要素と同様の運転管理システムの構成要素が、図１２に示した方法のステップを実行するためにコンピュータ実行可能命令を実行し得る。
【００８８】
本明細書で開示するシステム及び方法を実装するのに好適なモバイルデバイスの例としては、限定はしないが、Ａｐｐｌｅ  ｉＰｈｏｎｅ（登録商標）及びｉＰｏｄ（登録商標）、ＲＩＭ  Ｂｌａｃｋｂｅｒｒｙ（登録商標）Ｃｕｒｖｅ（商標）、Ｐｅａｒｌ（商標）、Ｓｔｏｒｍ（商標）、Ｂｏｌｄ（商標）、Ｈｅｗｌｅｔｔ  Ｐａｃｋａｒｄ  Ｖｅｅｒ、Ｐａｌｍ（登録商標）（現在、ＨＰ）Ｐｉｘｉ（商標）、Ｐｒｅ（商標）、Ｇｏｏｇｌｅ  Ｎｅｘｕｓ  Ｓ（商標）、Ｍｏｔｏｒｏｌａ  ＤＥＦＹ（商標）、Ｄｒｏｉｄ（第１〜３世代），Ｄｒｏｉｄ  Ｘ、Ｄｒｏｉｄ  Ｘ２、Ｆｌｉｐｓｉｄｅ（商標）、Ａｔｒｉｘ（商標）、及びＣｉｔｒｕｓ（商標）、ＨＴＣ  Ｉｎｃｒｅｄｉｂｌｅ（商標）、Ｉｎｓｐｉｒｅ（登商標）、Ｓｕｒｒｏｕｎｄ（商標）、ＥＶＯ（商標）、Ｇ２（商標）、ＨＤ７、Ｓｅｎｓａｔｉｏｎ（商標）、Ｔｈｕｎｄｅｒｂｏｌｔ（商標）、Ｔｒｏｐｈｙ（商標）、ＬＧ  Ｆａｔｈｏｍ（商標）、Ｏｐｔｉｍｕｓ  Ｔ（商標）、Ｐｈｏｅｎｉｘ（商標）、Ｑｕａｎｔｕｍ（商標）、Ｒｅｖｏｌｕｔｉｏｎ（商標）、Ｒｕｍｏｒ  Ｔｏｕｃｈ（商標）、及びＶｏｒｔｅｘ（商標）、Ｎｏｋｉａ  Ａｓｔｏｕｎｄ（商標）、Ｓａｍｓｕｎｇ  Ｃａｐｔｉｖａｔｅ（商標）、Ｃｏｎｔｉｎｕｕｍ（商標）、Ｄａｒｔ（商標）、Ｄｒｏｉｄ  Ｃｈａｒｇｅ（商標）、Ｅｘｈｉｂｉｔ（商標）、Ｅｐｉｃ（商標）、Ｆａｓｃｉｎａｔｅ（商標）、Ｆｏｃｕｓ（商標）、Ｇａｌａｘｙ  Ｓ（商標）、Ｇｒａｖｉｔｙ（商標）、Ｉｎｆｕｓｅ（商標）、Ｒｅｐｌｅｎｉｓｈ（商標）、Ｓｅｅｋ（商標）、及びＶｉｂｒａｎｔ（商標）、Ｐａｎｔｅｃｈ  Ｃｒｏｓｓｏｖｅｒ、Ｔ−Ｍｏｂｉｌｅ（登録商標）Ｇ２（商標）、Ｃｏｍｅｔ（商標）、ｍｙＴｏｕｃｈ（商標）、Ｓｉｄｅｋｉｃｋ（登録商標）、Ｓａｎｙｏ  Ｚｉｏ（商標）、Ｓｏｎｙ  Ｅｒｉｃｓｓｏｎ  Ｘｐｅｒｉａ（商標）Ｐｌａｙがある。
【００８９】
本明細書で開示するシステム及び方法を実装するのに好適なタブレット・コンピューティング・デバイスとしては、限定はしないが、Ａｃｅｒ  Ｉｃｏｎｉａ  Ｔａｂ  Ａ５００、Ａｐｐｌｅ  ｉＰａｄ（登録商標）（１及び２）、Ａｓｕｓ  Ｅｅｅ  Ｐａｄ  Ｔｒａｎｓｆｏｒｍｅｒ、Ａｓｕｓ  Ｅｅｅ  Ｓｌａｔｅ、Ｃｏｂｙ  Ｋｙｒｏｓ、Ｄｅｌｌ  Ｓｔｒｅａｋ、Ｈｅｗｌｅｔｔ  Ｐａｃｋａｒｄ  ＴｏｕｃｈＰａｄ、Ｍｏｔｏｒｏｌａ  ＸＯＯＭ、Ｓａｍｓｕｎｇ  Ｇａｌａｘｙ  Ｔａｂ、Ａｒｃｈｏｓ  １０１インターネット・タブレット、Ａｒｃｈｏｓ  ９  ＰＣタブレット、Ｂｌａｃｋｂｅｒｒｙ  ＰｌａｙＢｏｏｋ、Ｈｅｗｌｅｔｔ  Ｐａｃｋａｒｄ  Ｓｌａｔｅ、Ｎｏｔｉｏｎ  ｉｎｋ  Ａｄａｍ、Ｔｏｓｈｉｂａ  Ｔｈｒｉｖｅ、及びＶｉｅｗｓｏｎｉｃ  Ｖｉｅｗｐａｄがある。
【００９０】
いくつかの非限定的な態様では、本明細書で開示するシステム及び方法は、１つ又は複数の追加のモバイルデバイス制御方法と組み合わされ得る。本明細書で開示するシステム及び方法と組み合わされ得る追加の方法及びシステムは、それらの開示が、参照によりそれらの全体が本明細書に組み込まれる米国特許出願公開第２０１１／０１８３６０１号及び第２０１２／００５５７２６号に開示されている。
【００９１】
様々な非限定的な態様では、モバイルデバイスは、ハンドヘルドポータブルデバイス、コンピューティング・デバイス、コンピュータ、スマートフォンと呼ばれることがある携帯電話、タブレットパーソナルコンピュータ（ＰＣ）、キオスク、デスクトップコンピュータ、又はラップトップコンピュータ、あるいはそれらの任意の組合せとして実装され得る。スマートフォンの例としては、例えば、ｉＰｈｏｎｅ（登録商標）、ｉＰｏｄ（登録商標）、ｉＰａｄ（登録商標）、Ｇｏｏｇｌｅ社からのＡｎｄｒｏｉｄオペレーティング・システム（「ＯＳ」）を動作させるデバイス、Ｍｉｃｒｏｓｏｆｔ  Ｗｉｎｄｏｗｓ（登録商標）モバイルＯＳを実行するデバイス、Ｍｉｃｒｏｓｏｆｔ  Ｗｉｎｄｏｗｓ（登録商標）Ｐｈｏｎｅ  ＯＳを実行するデバイス、Ｓｙｍｂｉａｎ  ＯＳを実行するデバイス、Ｈｅｗｌｅｔｔ  Ｐａｃｋａｒｄ社からのｗｅｂＯＳを実行するデバイス、モバイルフォン、ＢｌａｃｋＢｅｒｒｙ（登録商標）デバイス、スマートフォン、ハンドヘルドコンピュータ、ネットブック・コンピュータ、パームトップコンピュータ、ラップトップコンピュータ、ウルトラモバイルＰＣ、ポータブルゲームシステム、又は通信ネットワークを介してクライアント及びホストシステムと通信する能力を有する別の同様のタイプのモバイル・コンピューティング・デバイスがある。コンピューティング・デバイスは、ユーザが通信ネットワークを介して交換される情報を表示し、それと対話することを可能にするための好適なブラウザ・ソフトウェア・アプリケーション（例えば、Ｉｎｔｅｒｎｅｔ  Ｅｘｐｌｏｒｅｒ、Ｉｎｔｅｒｎｅｔ  Ｅｘｐｌｏｒｅｒ  Ｍｏｂｉｌｅ、Ｃｈｒｏｍｅ、Ｓａｆａｒｉ、Ｆｉｒｅｆｏｘ、Ｂｌａｚｅｒなど）を含み得る。
【００９２】
モバイルデバイスのいくつかの非限定的な態様を、例として、スマートフォン、携帯情報端末、ラップトップ、デスクトップコンピュータとして実装されるモバイル又は固定コンピューティング・デバイスで説明し得るが、非限定的な態様がこのコンテキストに限定されないことを諒解されよう。例えば、モバイル・コンピューティング・デバイスは、ラップトップコンピュータ、ウルトララップトップコンピュータ、携帯情報端末（ＰＤＡ）、セルラー電話、一体型セルラー電話／ＰＤＡ、モバイルユニット、加入者局、ユーザ端末、ポータブルコンピュータ、ハンドヘルドコンピュータ、パームトップコンピュータ、ウェアラブルコンピュータ、メディアプレーヤ、ページャ、メッセージングデバイス、データ通信デバイスなど、独立型電源（例えば、バッテリ）をもつ任意のタイプのワイヤレスデバイス、移動局、又はポータブルコンピューティングデバイスを備えるか、又はそれらとして実装され得る。追加のモバイルデバイスは、例えば、Ａｐｐｌｅ（登録商標）Ｗａｔｃｈ及びＧｏｏｇｌｅ（登録商標）Ｇｌａｓｓのようなデバイスとともに、例えば、ＢｏｄｙＭｅｄｉａ、ＪａｗＢｏｎｅ、ＦｉｔＢｉｔによって製造されたウェアラブル・ヘルス・モニタなどのウェアラブル・モバイルデバイスを含む。
【００９３】
様々な非限定的な態様では、モバイルデバイスは、異なるタイプのセルラー無線電話システムによる音声及び／又はデータ通信機能を与え得る。セルラー無線電話システムの例としては、符号分割多元接続（ＣＤＭＡ）システム、モバイル通信用グローバル・システム（ＧＳＭ（登録商標））システム、北米デジタル・セルラー（ＮＡＤＣ）システム、時分割多元接続（ＴＤＭＡ）システム、拡張ＴＤＭＡ（ＥＴＤＭＡ）システム、Ｎａｒｒｏｗｂａｎｄ  Ａｄｖａｎｃｅｄ  Ｍｏｂｉｌｅ  Ｐｈｏｎｅ  Ｓｅｒｖｉｃｅ（ＮＡＭＰＳ）システム、広帯域ＣＤＭＡ（ＷＣＤＭＡ（登録商標））などの３Ｇシステム、ＣＤＭＡ−２０００、ユニバーサル移動電話システム（ＵＭＴＳ）システム、ＷｉＭＡＸ（ワールドワイド・インターオペラビリティ・フォー・マイクロウェーブ・アクセス）、ＬＴＥ（Ｌｏｎｇ  Ｔｅｒｍ  Ｅｖｏｌｕｔｉｏｎ）などがあり得る。
【００９４】
様々な非限定的な態様では、モバイルデバイスは、異なるタイプのワイヤレス・ネットワーク・システム又はプロトコルによる音声及び／又はデータ通信機能を与えるように構成され得る。データ通信サービスを提供する好適なワイヤレス・ネットワーク・システムの例としては、（「ＷｉＦｉ」とも呼ばれる）電気電子技術者協会（ＩＥＥＥ）８０２．１ａ／ｂ／ｇ／ｎシリーズの標準プロトコル及び変形形態、（「ＷｉＭＡＸ」とも呼ばれる）ＩＥＥＥ８０２．１６シリーズの標準プロトコル及び変形形態、ＩＥＥＥ８０２．２０シリーズの標準プロトコル及び変形形態などのＩＥＥＥ８０２．ｘｘシリーズのプロトコルがあり得る。モバイル・コンピューティング・デバイス７００はまた、Ｂｌｕｅｔｏｏｔｈ（登録商標）仕様バージョンｖ１．０、ｖ１．１、ｖ１．２、ｖ１．０、拡張データレート（ＥＤＲ）をもつｖ２．０を含むＢｌｕｅｔｏｏｔｈ（登録商標）  Ｓｐｅｃｉａｌ  Ｉｎｔｅｒｅｓｔ  Ｇｒｏｕｐ（ＳＩＧ）シリーズのプロトコル、並びに１つ又は複数のＢｌｕｅｔｏｏｔｈ（登録商標）プロファイルなどの異なるタイプの近距離ワイヤレスシステムを利用し得る。他の例としては、電磁誘導（ＥＭＩ）技法などの赤外技法又は近距離通信技法及びプロトコルを使用するシステムを含み得る。ＥＭＩ技法の一例としては、パッシブ又はアクティブ無線周波識別（ＲＦＩＤ）プロトコル及びデバイスがあり得る。
【００９５】
様々な非限定的な態様では、インタフェースデバイスは、クラウド（インターネット）にアクセスするために通信インタフェースに結合するように構成される。通信インタフェースは、ワイヤード通信システム、ワイヤレス通信システム、又は両方の組合せの部分を形成し得る。例えば、モバイルデバイス３０２は、ワイヤ、ケーブル、バス、プリント回路板（ＰＣＢ）、イーサネット（登録商標）接続、ピアツーピア（Ｐ２Ｐ）接続、バックプレーン、スイッチ・ファブリック、半導体材料、ツイストペアワイヤ、同軸ケーブル、光ファイバー接続などの１つ又は複数のタイプのワイヤード通信リンクを介して情報を通信するように構成され得る。モバイルデバイスは、無線チャネル、衛星チャネル、テレビジョンチャネル、ブロードキャストチャネル赤外線チャネル、無線周波数（ＲＦ）チャネル、ＷｉＦｉチャネル、ＲＦスペクトルの一部分、及び／あるいは１つ又は複数の認可又はライセンスフリー周波数帯域などの１つ又は複数のタイプのワイヤレス通信リンクを介して情報を通信するように構成され得る。ワイヤレス実装形態では、モバイルデバイスは、１つ又は複数の送信機、受信機、トランシーバ、増幅器、フィルタ、制御論理、ワイヤレス・ネットワーク・インタフェース・カード（ＷＮＩＣ）、アンテナなどのワイヤレス通信のための１つ又は複数のインタフェース及び／又は構成要素を備え得る。
【００９６】
前に説明したモバイルデバイスの大まかなカテゴリーは、例えば、パーソナル通信デバイス、ハンドヘルドデバイス、及び携帯電話を含む。様々な態様では、モバイルデバイスは、ハンドヘルドポータブルデバイス、コンピュータ、携帯電話、スマートフォン、タブレットパーソナルコンピュータ（ＰＣ）、ラップトップコンピュータなど、又はそれらの任意の組合せを指すことがある。スマートフォンの例としては、現代のフィーチャーフォンより高度な計算能力及び接続性をもつ、モバイル・コンピューティング・プラットフォーム上に構築された任意のハイエンドモバイルフォンがある。いくつかのスマートフォンは、主に、ＰＣの機能を組み合わせる。
【００９７】
様々な詳細について上記の説明に記載したが、本明細書で開示する技法の様々な態様がこれらの特定の詳細なしに実施され得ることを諒解されよう。本明細書で説明する構成要素（例えば、動作）、デバイス、オブジェクト、及びそれらに付随する説明は、概念上の明快さのために例として使用されること、及び様々な構成変更が企図されることを当業者は認識されよう。したがって、本明細書では、特定の例が記載され、付随の説明は、それらのより一般的な分類を表すものである。概して、任意の特定の例の使用は、それの分類を表すことを目的とし、特定の構成要素（例えば、動作）、デバイス、及びオブジェクトの除外は、限定ととるべきでない。
【００９８】
さらに、いくつかの形態について、図示し説明したが、それは、添付の特許請求の範囲をそのような詳細に制限又は限定したいという出願人の意図ではない。それらの形態に対する多数の変更、変形、代用物、組合せ、及び均等物が、実装され得、本開示の範囲から逸脱することなく当業者に想到するであろう。さらに、説明した形態に関連付けられた各要素の構造は、代替的に、要素によって実行される機能を与えるための手段として説明され得る。また、いくつかの構成要素について材料を開示した場合、他の材料が使用され得る。したがって、上記の説明及び添付の特許請求の範囲が、開示する形態の範囲内に入るものとしてすべてのそのような変形、組合せ、及び変更を包含するものであることを理解されたい。添付の特許請求の範囲は、すべてのそのような変更、変形、変化、代用物、変更、及び均等物を包含するものである。
【００９９】
開示の簡潔及び明快さのために、上記の開示の選択された態様を、詳細にではなくブロック図の形式で示した。本明細書で提供した詳細な説明のいくつかの部分は、１つ又は複数のコンピュータメモリあるいは１つ又は複数のデータストレージデバイス（例えば、フロッピーディスク、ハードディスクドライブ、コンパクトディスク（ＣＤ）、デジタルビデオディスク（ＤＶＤ）、又はデジタルテープ）中に記憶されるデータに対して動作する命令に関して提示され得る。そのような説明及び表現は、他の当業者にそれらの作業の内容を説明し、伝達するために当業者によって使用される。概して、アルゴリズムは、所望の結果をもたらす自己矛盾のない一連のステップを指し、ここで、「ステップ」は、必ずしも必要はないが、記憶されること、搬送されること、組み合わされること、比較されること、又は操作されることが可能な電気又は磁気信号の形態をとり得る物理量及び／又は論理状態の操作を指す。これらの信号をビット、値、要素、シンボル、文字、項、数字などと呼ぶことは一般的な使い方である。これらの及び同類の用語が、適切な物理量に関連付けられ得、これらの量及び／又は状態に適用される便利な標示にすぎない。
【０１００】
別段に明記されていない限り、上記の開示から明らかなように、上記の開示全体にわたって、「処理する」又は「計算する」又は「算出する」又は「決定する」又は「表示する」などの用語を使用した説明は、コンピュータシステムのレジスタ及びメモリ内の物理（電子）量として表されるデータを操作し、コンピュータシステムメモリ又はレジスタあるいは他のそのような情報記憶、送信又は表示デバイス内の物理量として同様に表される他のデータに変換するコンピュータシステム又は同様の電子コンピューティング・デバイスのアクション及びプロセスを指すことを諒解されたい。
【０１０１】
一般的に、広範囲のハードウェア、ソフトウェア、ファームウェア、又はそれらの任意の組合せによって個別に及び／又は集合的に実装され得る本明細書で説明する様々な態様が、様々なタイプの「電気回路」から構成されると見なされ得ることを当業者は認識されよう。したがって、本明細書で使用する「電気回路」は、限定はしないが、少なくとも１つの個別の電気回路を有する電気回路、少なくとも１つの集積回路を有する電気回路、少なくとも１つの特定用途向け集積回路を有する電気回路、コンピュータプログラムによって構成される汎用コンピューティング・デバイス（例えば、本明細書で説明するプロセス及び／又はデバイスを少なくとも部分的に実行するコンピュータプログラムによって構成された汎用コンピュータ、又は本明細書で説明するプロセス及び／又はデバイスを少なくとも部分的に実行するコンピュータプログラムによって構成されたマイクロプロセッサ）を形成する電気回路、メモリデバイス（例えば、ランダムアクセスメモリの形態）を形成する電気回路、及び／又は通信デバイス（例えば、モデム、通信スイッチ、又は光電気機器）を形成する電気回路を含む。本明細書で説明する主題が、アナログ又はデジタル形態あるいはそれらの何らかの組合せで実装され得ることを、当業者は認識されよう。
【０１０２】
上記の詳細な説明は、ブロック図、フローチャート、及び／又は例の使用を介して様々な形態のデバイス及び／又はプロセスを記載した。そのようなブロック図、フローチャート、及び／又は例が１つ又は複数の機能及び／又は動作を含んでいる限り、そのようなブロック図、フローチャート、及び／又は例が、広範囲のハードウェア、ソフトウェア、ファームウェア、又はそれらのほぼすべての組合せによって個別に及び／又は集合的に実装され得ることが当業者には理解されよう。一形態では、本明細書で説明する主題のいくつかの部分は、特定用途向け集積回路（ＡＳＩＣ）、フィールド・プログラマブル・ゲート・アレイ（ＦＰＧＡ）、デジタル信号プロセッサ（ＤＳＰ）、又は他の統合フォーマットを介して実装され得る。ただし、本明細書で開示する形態のいくつかの態様が、全体的に又は部分的に、１つ又は複数のコンピュータ上で動作する１つ又は複数のコンピュータプログラムとして（例えば、１つ又は複数のコンピュータシステム上で動作する１つ又は複数のプログラムとして）、１つ又は複数のプロセッサ上で動作する１つ又は複数のプログラムとして（例えば、１つ又は複数のマイクロプロセッサ上で動作する１つ又は複数のプログラムとして）、ファームウェアとして、あるいはそれらのほぼすべての組合せとして、集積回路中に等しく実装され得ること、並びに回路を設計すること及び／又はソフトウェア及び又はファームウェアのためのコードを書くことが、本開示に照らして十分に当業者の技術の範囲内であることを当業者は認識されよう。本明細書で説明する主題の機構が、様々な形態で１つ又は複数のプログラム製品として分散されることが可能であること、及び本明細書で説明する主題の例示的な形態が、分散を実際に実行するために使用される特定のタイプの信号担持媒体にかかわらず適用されることを、当業者は諒解されよう。信号担持媒体の例としては、限定はしないが、フロッピーディスク、ハードディスクドライブ、コンパクトディスク（ＣＤ）、デジタルビデオディスク（ＤＶＤ）、デジタルテープ、コンピュータメモリなどの記録可能型媒体と、デジタル及び／又はアナログ通信媒体の送信型媒体（例えば、光ファイバーケーブル、導波路、ワイヤード通信リンク、ワイヤレス通信リンク（例えば、送信機、受信機、送信論理、受信論理など）など）がある。
【０１０３】
いくつかの例では、１つ又は複数の要素は、それらの派生物とともに「結合された」及び「接続された」表現を使用して説明され得る。これらの用語が互いの類義語として意図されていないことを理解されたい。例えば、いくつかの態様は、２つ以上の要素が互いに直接物理又は電気接触していることを示すために「接続された」という用語を使用して説明され得る。別の例では、いくつかの態様は、２つ以上の要素が直接物理又は電気接触していることを示すために「結合された」という用語を使用して説明され得る。ただし、「結合した」という用語はまた、２つ以上の要素が互いに直接接触していないが、それでもなお、互いに協働又は対話することを意味し得る。異なる他の構成要素内に含まれているか、又はそれに接続された異なる構成要素の図示されたアーキテクチャは、例にすぎず、実際は、同じ機能を達成する多くの他のアーキテクチャが実装され得ることを理解されたい。概念的な意味では、同じ機能を達成する構成要素の任意の配置は、所望の機能が達成されるように効果的に「関連付けられる」。したがって、特定の機能を達成するために本明細書において組み合わされる任意の２つの構成要素は、アーキテクチャ又は中間構成要素にかかわらず、所望の機能を達成するように互いに「関連する」と見られ得る。同様に、そのように関連付けられた任意の２つの構成要素は、所望の機能を達成するために互いに「動作可能に接続されている」又は「動作可能に結合されている」と見なされ得、そのように関連付けられたことが可能な任意の２つの構成要素はまた、所望の機能を達成するために互いに「動作可能に結合可能である」と見なされ得る。動作可能に結合可能であることの具体的な例としては、限定はしないが、物理的に嵌合可能な及び／又は物理的に相互作用する構成要素、並びに／あるいはワイヤレスに相互作用可能な及び／又はワイヤレスに相互作用する構成要素、並びに／あるいは論理的に相互作用する、及び／又は論理的に相互作用可能な構成要素、並びに／あるいは電気的に相互作用する構成要素、並びに／あるいは電気的に相互作用可能な構成要素、並びに／あるいは光学的に相互作用する構成要素、並びに／あるいは光学的に相互作用可能な構成要素がある。
【０１０４】
他の例では、１つ又は複数の構成要素を、本明細書では「ように構成された」、「ように構成可能な」、「動作可能な／ように動作可能な」、「適応された／適応可能な」、「可能な」、「適合する／に適合する」などと呼ぶことがある。「ように構成された」が、文脈上他の意味に解すべき場合を除き、概して、アクティブ状態の構成要素及び／又は非アクティブ状態の構成要素及び／又はスタンバイ状態の構成要素を包含することができることを当業者は認識されよう。
【０１０５】
本開示の特定の態様を図示し説明したが、本明細書の教示に基づいて、本明細書で説明する主題から逸脱することなく変更及び修正が行われ得ること、及びそれのより大まかな態様、したがって、添付の特許請求の範囲が、本明細書で説明する主題の真の範囲内にあるものとしてすべてのそのような変更及び修正をそれらの範囲内に包含すべきであることが当業者には明らかになろう。概して、本明細書で、特に、添付の特許請求の範囲（例えば、添付の特許請求の範囲の本文）中で使用される用語は、概して、「未決」用語とするものであること（例えば、用語「を含む（ｉｎｃｌｕｄｉｎｇ）」は、「を含むが、これに限定されない（ｉｎｃｌｕｄｉｎｇ  ｂｕｔ  ｎｏｔ  ｌｉｍｉｔｅｄ  ｔｏ）」と解釈すべきであり、用語「を有する（ｈａｖｉｎｇ）」は、「を少なくとも有する（ｈａｖｉｎｇ  ａｔ  ｌｅａｓｔ）」と解釈すべきであり、用語「を含む（ｉｎｃｌｕｄｅｓ）」は「を含むが、これに限定されない（ｉｎｃｌｕｄｅｓ  ｂｕｔ  ｉｓ  ｎｏｔ  ｌｉｍｉｔｅｄ  ｔｏ）」と解釈すべきであるなど）が当業者には理解されよう。特定の数の導入された請求項記載物が意図される場合、そのような意図は、請求項に明示的に記載されることになり、そのような記載がない場合には、そのような意図が存在しないことが当業者にはさらに理解されよう。例えば、理解する手助けとして、以下の添付の特許請求の範囲は、請求項記載物を導入するために、「少なくとも１つの」及び「１つ又は複数の」という導入句の使用を含み得る。ただし、そのような句の使用は、同じの請求項が「１つ又は複数の」又は「少なくとも１つの」という導入句及び「ａ」又は「ａｎ」などの不定冠詞を含むときでも、不定冠詞「ａ」又は「ａｎ」による請求項記載物の導入が、そのような導入された請求項記載物を含んでいる任意の特定の請求項をそのような１つの記載物のみを含む請求項に限定することを意味すると解釈すべきではなく（例えば、「ａ」及び／又は「ａｎ」は、通常、「少なくとも１つの（ａｔ  ｌｅａｓｔ  ｏｎｅ）」又は「１つ又は複数の（ｏｎｅ  ｏｒ  ｍｏｒｅ）」を意味すると解釈すべきであり）、同じことが、請求項記載物を導入するために使用される定冠詞の使用についても該当する。
【０１０６】
さらに、特定数の導入された請求項記載物が明示的に記載されている場合でも、そのような記載が、通常、少なくとも記載された数を意味すると解釈すべきであることを当業者は認識されよう（例えば、その他の修飾子なしの「２つの記載物」という無修飾の記載は、通常、少なくとも２つの記載物又は２つ以上の記載物を意味する）。さらに、「Ａ、Ｂ、及びＣなどのうちの少なくとも１つ（ａｔ  ｌｅａｓｔ  ｏｎｅ  ｏｆ  Ａ，Ｂ，ａｎｄ  Ｃ，ｅｔｃ．）」に類似する表記法が使用される例では、一般に、そのような構造は、当業者が表記法を理解するであろうという意味に意図される（例えば、「Ａ、Ｂ、及びＣのうちの少なくとも１つを有するシステム（ａ  ｓｙｓｔｅｍ  ｈａｖｉｎｇ  ａｔ  ｌｅａｓｔ  ｏｎｅ  ｏｆ  Ａ，Ｂ，ａｎｄ  Ｃ）」は、限定はしないが、Ａのみ、Ｂのみ、Ｃのみ、Ａ及びＢを一緒に、Ａ及びＣを一緒に、Ｂ及びＣを一緒に、並びに／あるいはＡ、Ｂ、及びＣを一緒になどを有するシステムを含むことになる）。「Ａ、Ｂ、又はＣなどのうちの少なくとも１つ（ａｔ  ｌｅａｓｔ  ｏｎｅ  ｏｆ  Ａ，Ｂ，ｏｒ  Ｃ，ｅｔｃ．）」に類似する表記法が使用される例では、一般に、そのような構造は、当業者が表記法を理解するであろうという意味に意図される（例えば、「Ａ、Ｂ、又はＣのうちの少なくとも１つを有するシステム（ａ  ｓｙｓｔｅｍ  ｈａｖｉｎｇ  ａｔ  ｌｅａｓｔ  ｏｎｅ  ｏｆ  Ａ，Ｂ，ｏｒ  Ｃ）」は、限定はしないが、Ａのみ、Ｂのみ、Ｃのみ、Ａ及びＢを一緒に、Ａ及びＣを一緒に、Ｂ及びＣを一緒に、並びに／あるいはＡ、Ｂ、及びＣを一緒になどを有するシステムを含むことになる）。一般に、２つ以上の代替用語を提示する離接語及び／又は句は、説明、請求項、又は図面にあっても、用語のうちの１つ、用語のいずれか、又は用語の両方を含む可能性を企図しているものと理解すべきであることが当業者にはさらに理解されよう。例えば、句「Ａ又はＢ」は、一般に、「Ａ」又は「Ｂ」又は「Ａ及びＢ」という可能性を含むものと理解されよう。
【０１０７】
添付の特許請求の範囲に関して、本明細書中の記載された動作が、概して、任意の順序で実行され得ることを、当業者は諒解されよう。また、様々な動作フローをシーケンスで提示したが、様々な動作が図示した順序とは別の順序で実行され得るか、又は同時に実行され得ることを理解されたい。そのような代替順序の例としては、コンテキストが別段に規定しない限り、重複順序、インターリーブ順序、割込み順序、並べ替え順序、増分順序、予備順序、補助順序、同時順序、逆方向順序、又は他の変形態順序があり得る。さらに、「に応答する（ｒｅｓｐｏｎｓｉｖｅ  ｔｏ）」、「に関係する（ｒｅｌａｔｅｄ  ｔｏ）」、又は他の過去時制形容詞などの用語は、概して、コンテキストが別段に規定しない限り、そのような変形態を除外するものではない。
【０１０８】
「一態様（ｏｎｅ  ａｓｐｅｃｔ）」、「一態様（ａｎ  ａｓｐｅｃｔ）」、「一形態（ｏｎｅ  ｆｏｒｍ）」、又は「一形態（ａ  ｆｏｒｍ）」への任意の言及が、態様に関して説明する特定の特徴、構造、又は特性が少なくとも１つの態様中に含まれることを意味することについて言及することが重要である。したがって、明細書全体にわたる様々な場所での句「一態様では（ｉｎ  ｏｎｅ  ａｓｐｅｃｔ）」、「一態様では（ｉｎ  ａｎ  ａｓｐｅｃｔ）」、「一形態では（ｉｎ  ｏｎｅ  ｆｏｒｍ）」、又は「一形態では（ｉｎ  ａｎ  ｆｏｒｍ）」の出現は、必ずしもすべて同じ態様を言及するとは限らない。さらに、特定の特徴、構造又は特性が、１つ又は複数の態様中に任意の好適な方法で組み合わされ得る。
【０１０９】
本明細書における実質的に任意の複数形の用語及び／又は単数形の用語の使用に関して、当業者は、文脈及び／又は適用例に適したように、複数形から単数形に及び／又は単数形から複数形に変換することができる。明快のために、様々な単数形／複数形の順列を本明細書に明確に記載していない。
【０１１０】
場合によっては、構成要素が領域の外側に位置する場合でも、システム又は方法の使用が領域中で行われ得る。例えば、分散コンピューティング・コンテキストでは、システムの部分（例えば、領域の外側に位置するリレー、サーバ、プロセッサ、信号担持媒体、送信コンピュータ、受信コンピュータなど）が領域の外側に位置し得る場合であっても、分散コンピューティング・システムの使用は領域中で行われ得る。
【０１１１】
システム又は方法の構成要素が領域の外側に位置する、及び／又は領域の外側で使用される場合でも、システム又は方法の売上げは、領域中で同様に行われ得る。さらに、１つの領域中で方法を実行するためのシステムの少なくとも部分の実装は、別の領域中でのシステムの使用を妨げない。
【０１１２】
本明細書に記載の及び／又は任意の出願データ・シート中にリストされている上記の米国特許、米国特許出願公開、米国特許出願、外国特許、外国特許出願、特許以外の刊行物、又は任意の他の開示資料材料のすべては、本明細書と矛盾しない範囲で、参照により本明細書に組み込まれる。したがって、必要な程度まで、本開示は、本明細書に明示的に記載されているように、参照により本明細書に組み込まれる任意の矛盾材料に取って代わる。参照により本明細書に組み込まれると言われているが、本明細書に記載の既存の定義、記述、又は他の開示資料と矛盾する任意の材料又はそれの一部分は、その組み込まれた材料と既存の開示資料との間に矛盾を生じない限り組み込まれることになる。
【０１１３】
要約すれば、本明細書で説明する概念を採用することから生じる多数の利益について説明した。１つ又は複数の形態の上記の説明は、例示及び説明のために提示した。それは、網羅すること又は開示した形態そのものに限定することを意図したものではない。上記の教示に照らして変更又は変形があり得る。原理及び実際的適用例について説明し、それによって、当業者が、企図される特定の用途に適する様々な変更とともに様々な形態を利用することができるように、１つ又は複数の形態を選定し、説明した。本明細書とともに提出した特許請求の範囲が全体的な範囲を定義するものとする。
【０１１４】
本明細書で開示する非限定的な態様に関して説明した様々な機能要素、論理ブロック、モジュール、及び回路要素の機能は、処理ユニットによって実行されるソフトウェア、制御モジュール、論理、及び／又は論理モジュールなどのコンピュータ実行可能命令の一般的なコンテキストで実装され得る。概して、ソフトウェア、制御モジュール、論理、及び／又は論理モジュールは、特定の動作を実行するように構成された任意のソフトウェア要素を備える。ソフトウェア、制御モジュール、論理、及び／又は論理モジュールは、特定のタスクを実行するか又は特定の抽象データ型を実装するルーチン、プログラム、オブジェクト、構成要素、データ構造などを備えることができる。ソフトウェア、制御モジュール、論理、及び／又は論理モジュール及び技法の実装は、何らかの形態のコンピュータ可読媒体上に記憶されるか、及び／又はそれにわたって送信され得る。この点について、コンピュータ可読媒体は、情報を記憶するために使用可能な、コンピューティング・デバイスによってアクセス可能な任意の利用可能な媒体であり得る。いくつかの非限定的な態様はまた、分散コンピューティング環境中で実施され得、ここで、動作は、通信ネットワークを通してリンクされる１つ又は複数のリモート処理デバイスによって実行される。分散コンピューティング環境では、ソフトウェア、制御モジュール、論理、及び／又は論理モジュールは、メモリストレージデバイスを含むローカル及びリモートコンピュータ記憶媒体の両方の中に位置し得る。
【０１１５】
さらに、本明細書で説明する非限定的な態様が、例示的な実装形態を示すこと、並びに機能要素、論理ブロック、モジュール、及び回路要素が、説明する非限定的な態様に一致する様々な他の方法で実装され得ることを諒解されたい。さらに、そのような機能要素、論理ブロック、モジュール、及び回路要素によって実行される動作は、所与の実装形態について組み合わされ、及び／又は分離され得、より多い数又はより少ない数の構成要素又はモジュールによって実行され得る。当業者には明らかなように、本開示を読むと、本明細書に記載され、図示された個別の非限定的な態様の各々が、本開示の範囲から逸脱することなく、他のいくつかの非限定的な態様のいずれかの特徴から容易に分離されるか、又はそれと組み合わされ得る個別構成要素及び特徴を有する。任意の記載の方法は、記載されたイベントの順序で、又は論理的に可能である任意の他の順序で実行され得る。
【０１１６】
「非限定的な一態様」又は「非限定的な態様」への言及は、非限定的な態様に関して説明する特定の特徴、構造、又は特性が、本開示の少なくとも１つの非限定的な態様中に備えられることを意味することに留意されたい。本明細書での句「非限定的な一態様では」又は「非限定的な態様では」の出現は、必ずしもすべて同じ非限定的な態様を言及するとは限らない。
【０１１７】
別段に明記されていない限り、上記の開示から明らかなように、上記の開示全体にわたって、「処理する」又は「計算する」又は「算出する」又は「決定する」又は「表示する」などの用語を使用した説明は、コンピュータシステムのレジスタ及びメモリ内の物理（電子）量として表されるデータを操作し、コンピュータシステムメモリ又はレジスタあるいは他のそのような情報記憶、送信又は表示デバイス内の物理量として同様に表される他のデータに変換するコンピュータシステム又は同様の電子コンピューティング・デバイスのアクション及びプロセスを指すことを諒解されたい。
【０１１８】
いくつかの非限定的な態様が、それらの派生物とともに「結合された」及び「接続された」表現を使用して説明され得ることについて言及することが重要である。これらの用語は互いの類義語として意図されていない。例えば、いくつかの非限定的な態様は、２つ以上の要素が互いに直接物理又は電気接触していることを示すために「接続された」及び／又は「結合された」という用語を使用して説明され得る。ただし、「結合した」という用語はまた、２つ以上の要素が互いに直接接触していないが、それでもなお、互いに協働又は対話することを意味し得る。ソフトウェア要素に関して、例えば、「結合した」という用語は、インタフェース、メッセージインタフェース、アプリケーション・プログラム・インタフェース（ＡＰＩ）、メッセージ交換などを指すことがある。
【０１１９】
当業者は、本明細書では明示的に説明又は図示しないが、本開示の原理を具現し、その範囲内に含まれる様々な構成を考案することが可能になることを諒解されよう。さらに、本明細書に記載するすべての例及び条件付き言語は、主に、本開示において説明する原理及び当該技術の促進に寄与される概念を読者が理解するのを手助けするものであり、そのような具体的に記載された例及び状態に限定されないものとして解釈されるべきである。さらに、原理、非限定的な態様、及び非限定的な態様並びにそれの具体的な例を記載した本明細書におけるすべての記述は、それの構造的均等物と機能的均等物の両方を包含するものである。さらに、そのような均等物が、構造にかかわらず、現在知られている均等物と将来開発される均等物との両方、すなわち、同じ機能を実行する開発された任意の要素を備えるものとする。したがって、本開示の範囲は、本明細書で図示及び説明した例示的な非限定的な態様及び非限定的な態様に限定されるものではい。むしろ、本開示の範囲は、添付の特許請求の範囲によって実施される。
【０１２０】
本開示のコンテキスト（特に、以下の特許請求の範囲のコンテキスト）において使用される「ａ」及び「ａｎ」及び「ｔｈｅ」という用語並びに同様の指示語は、本明細書に別段に規定されていないか、又はコンテキストによってはっきり否定されていない限り、単数形と複数形との両方を包含すると解釈されるべきである。本明細書における値の範囲の記載は、単に、範囲内に入る各別個の値に個別に言及する簡単な方法として働くものである。本明細書に別段に規定されていない限り、各個の値は、本明細書に個別に記載されたときに本明細書に組み込まれる。本明細書で説明するすべての方法は、本明細書に別段に指示されていないか、あるいはコンテキストによってはっきり否定されていない限り、任意の好適な順序で実行され得る。本明細書で提供する任意の及びすべての例又は例示的な言語（例えば、「など」、「場合」、「例として」）の使用は、単に、開示される非限定的な態様をより明らかにするものであり、通常ならば請求される範囲に制限を提示しない。本明細書の言語は、請求する主題の実施に必須の任意の非請求の要素を示すものと解釈すべきではない。特許請求の範囲が、任意のオプション要素を除外するように起草され得ることにさらに留意されたい。したがって、この記述は、請求項要素の記載とともに単に（ｓｏｌｅｌｙ）、のみ（ｏｎｌｙ）などの排他的用語を使用するか、又は否定制限を使用するための先行詞として働くものである。
【０１２１】
本明細書で開示する代替要素又は非限定的な態様のグループ化は、制限として解釈されるべきではない。各グループ・メンバーは、個別に、又は本明細書に発見されるグループの他のメンバー又は他の要素との任意の組合せで言及又は請求され得る。グループの１つ又は複数のメンバーが、便宜上の理由及び／又は特許性の理由のためにグループ中に備えられるか、又はそれから削除され得ることが予期される。
【０１２２】
上記で説明したように非限定的な態様のいくつかの特徴を示したが、これで、多くの変形、置換、変更、及び均等物が当業者に想到するであろう。したがって、添付の特許請求の範囲が、開示する非限定的な態様内に入るものとしてすべてのそのような変形及び変更を包含するものであることを理解されたい。
【０１２３】
本明細書で説明する主題の様々な態様を、以下の番号付けされた例において提示する。
【０１２４】
例１．モバイルデバイスを動作させるための方法であって、Ｂｌｕｅｔｏｏｔｈ（登録商標）  Ｌｏｗ  Ｅｎｅｒｇｙ（ＢＬＥ）技術を介して通信するように構成された運転管理システムを作動させることと、ＢＬＥ技術を介して前記運転管理システムとモバイルデバイスとの間の通信チャネルを確立することと、前記運転管理システムに前記通信チャネルを介して前記モバイルデバイスに関連付けられた情報を送信することと、前記運転管理システムと前記モバイルデバイスの動作を同期させることとを備える、方法。
【０１２５】
例２．運転管理システムを作動させることが、ビークル内に位置する運転管理システムを作動させることを備える、例１に記載の方法。
【０１２６】
例３．運転管理システムを作動させることが、ハンズフリー通信システムを備える運転管理システムを作動させることを備える、例２に記載の方法。
【０１２７】
例４．前記運転管理システムと前記モバイルデバイスの動作を同期させることが、前記運転管理システムの前記ハンズフリー通信システムと前記モバイルデバイスの動作を同期させることを備える、例３に記載の方法。
【０１２８】
例５．前記運転管理システムと前記モバイルデバイスの動作を同期させることが、前記運転管理システムのナビゲーションシステムと前記モバイルデバイスの動作を同期させることを備える、例２から４のいずれか一項に記載の方法。
【０１２９】
例６．前記運転管理システムによって、第１のテキストメッセージを読み取ることであって、前記第１のテキストメッセージが、インバウンドテキストメッセージである、読み取ることと、前記運転管理システムによって、音声作動式の第２のテキストメッセージを介して返答することであって、前記音声作動式の第２のテキストメッセージが、アウトバウンドテキストメッセージである、返答することとをさらに備える、例２から５のいずれか一項に記載の方法。
【０１３０】
例７．情報を通信するための方法であって、
運転管理システムによって、ビークル内に位置する第１のモバイルデバイスの第１の位置が前記ビークルの運転手の位置に対応すると決定することと、前記運転管理システムによって、前記第１のモバイルデバイスによるビークルのナビゲーションシステムへのデータ入力を使用不能にすることとを備える方法。
【０１３１】
例８．前記ビークル内の前記第１のモバイルデバイスの前記第１の位置が前記ビークルの前記運転手の前記位置に対応すると前記決定することが、連続的に繰り返される、例７に記載の方法。
【０１３２】
例９．前記運転管理システムによって、前記ビークル内の第２のモバイルデバイスの第２の位置が前記ビークルの前記運転手の前記位置に対応しないと決定することと、前記運転管理システムによって、前記第２のモバイルデバイスから受信されたデータに基づいて前記第２のモバイルデバイスによる前記ナビゲーションシステムへのデータ入力を有効化することとをさらに備える、例７又は８に記載の方法。
【０１３３】
例１０．前記ビークル内の前記第２のモバイルデバイスの前記第２の位置が前記ビークルの前記運転手の前記位置に対応しないと前記決定することが、連続的に繰り返される、例９に記載の方法。
【０１３４】
例１１．前記運転管理システムの制御モジュールによって、前記第１のモバイルデバイスに制御信号を送信することであって、前記制御信号が、前記第１のモバイルデバイスの動作を制限するか又は使用不能にするように構成されている、送信することをさらに備える、例７から例１０のいずれか一項に記載の方法。
【０１３５】
例１２．前記第１のモバイルデバイスに前記制御信号を送信することが、前記第１のモバイルデバイスの通信機構を防止するように構成された制御信号を送信することを備える、例１１に記載の方法。
【０１３６】
例１３．前記運転管理システムの感知モジュールによって、所定の検出ゾーン内の前記第１のモバイルデバイス又は前記第２のモバイルデバイスによって発せられた通信信号を感知することをさらに備える、例７から１２のいずれか一項に記載の方法。
【０１３７】
例１４．データを収集するための方法であって、ビークルの運転管理システムを作動させることと、前記運転管理システムによって、運転習慣情報を受信することと、前記運転管理システムによって、モバイルデバイスの位置を決定することであって、前記位置が、所定の検出ゾーン内にある、決定することと、前記モバイルデバイスから、前記運転管理システムによって、識別情報を受信することと、前記運転管理システムによって、前記運転習慣情報に前記モバイルデバイスの前記識別情報を関連付けることとを備える、方法。
【０１３８】
例１５．モバイルデバイスの位置を決定することであって、前記位置が、所定の検出ゾーン内にあり、前記所定の検出ゾーンが、前記ビークルの運転席に近接している３次元ゾーンを備える、例１４に記載の方法。
【０１３９】
例１６．非一過性の記録媒体中に前記モバイルデバイスの前記識別情報に関連付けられた前記運転習慣情報を記憶することと、前記ビークルのセンサによって感知されたデータに基づいて、前記ビークルのナビゲーションシステムによって前記運転習慣情報を決定することとをさらに備える、例１４又は１５のいずれか一項に記載の方法。
【０１４０】
例１７．前記運転習慣情報を記憶することが、運転速度パターンを記憶することを備える、例１６に記載の方法。
【０１４１】
例１８．前記運転習慣情報を記憶することが、ブレイクペダルパターンを記憶することを備える、例１４から１７のいずれか一項に記載の方法。
【０１４２】
例１９．前記運転習慣情報を記憶することが、ステアリングホイールパターンを記憶することを備える、例１４から１８のいずれか一項に記載の方法。
【０１４３】
例２０．前記運転管理システムによって、前記ビークルの出口点又は入口点がアクセスされた時間を決定することをさらに備える、例１４から１９のいずれか一項に記載の方法。
【図１】
2019512176.tif 000003
【図２】
2019512176.tif 000004
【図３】
2019512176.tif 000005
【図４】
2019512176.tif 000006
【図５】
2019512176.tif 000007
【図６】
2019512176.tif 000008
【図７】
2019512176.tif 000009
【図８】
2019512176.tif 000010
【図９】
2019512176.tif 000011
【図１０】
2019512176.tif 000012
【図１１】
2019512176.tif 000013
【図１２】
2019512176.tif 000014
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
モバイルデバイスを動作させるための方法であって、
Ｂｌｕｅｔｏｏｔｈ（登録商標）  Ｌｏｗ  Ｅｎｅｒｇｙ（ＢＬＥ）技術を介して通信するように構成された運転管理システムを作動させることと、
ＢＬＥ技術を介して前記運転管理システムとモバイルデバイスとの間の通信チャネルを確立することと、
前記運転管理システムに前記通信チャネルを介して前記モバイルデバイスに関連付けられた情報を送信することと、
前記運転管理システムと前記モバイルデバイスの動作を同期させることと、
を備える、方法。
【請求項２】
運転管理システムを作動させることが、ビークル内に位置する運転管理システムを作動させることを備える、請求項１に記載の方法。
【請求項３】
運転管理システムを作動させることが、ハンズフリー通信システムを備える運転管理システムを作動させることを備える、請求項２に記載の方法。
【請求項４】
前記運転管理システムと前記モバイルデバイスの動作を同期させることが、前記運転管理システムの前記ハンズフリー通信システムと前記モバイルデバイスの動作を同期させることを備える、請求項３に記載の方法。
【請求項５】
前記運転管理システムと前記モバイルデバイスの動作を同期させることが、前記運転管理システムのナビゲーションシステムと前記モバイルデバイスの動作を同期させることを備える、請求項２〜４のいずれか一項に記載の方法。
【請求項６】
前記運転管理システムによって、第１のテキストメッセージを読み取ることであって、前記第１のテキストメッセージが、インバウンドテキストメッセージである、読み取ることと、
前記運転管理システムによって、音声作動式の第２のテキストメッセージを介して返答することであって、前記音声作動式の第２のテキストメッセージが、アウトバウンドテキストメッセージである、返答することと、
をさらに備える、請求項２〜５のいずれか一項に記載の方法。
【請求項７】
情報を通信するための方法であって、
運転管理システムによって、ビークル内に位置する第１のモバイルデバイスの第１の位置が前記ビークルの運転手の位置に対応すると決定することと、
前記運転管理システムによって、前記第１のモバイルデバイスによるビークルのナビゲーションシステムへのデータ入力を使用不能にすることと、
を備える方法。
【請求項８】
前記ビークル内の前記第１のモバイルデバイスの前記第１の位置が前記ビークルの前記運転手の前記位置に対応すると前記決定することが、連続的に繰り返される、請求項７に記載の方法。
【請求項９】
前記運転管理システムによって、前記ビークル内の第２のモバイルデバイスの第２の位置が前記ビークルの前記運転手の前記位置に対応しないと決定することと、
前記運転管理システムによって、前記第２のモバイルデバイスから受信されたデータに基づいて前記第２のモバイルデバイスによる前記ナビゲーションシステムへのデータ入力を有効化することと、
をさらに備える、請求項７又は８に記載の方法。
【請求項１０】
前記ビークル内の前記第２のモバイルデバイスの前記第２の位置が前記ビークルの前記運転手の前記位置に対応しないと前記決定することが、連続的に繰り返される、請求項９に記載の方法。
【請求項１１】
前記運転管理システムの制御モジュールによって、前記第１のモバイルデバイスに制御信号を送信することであって、前記制御信号が、前記第１のモバイルデバイスの動作を制限するか又は使用不能にするように構成されている、送信すること
をさらに備える、請求項７〜１０のいずれか一項に記載の方法。
【請求項１２】
前記第１のモバイルデバイスに前記制御信号を送信することが、前記第１のモバイルデバイスの通信機構を防止するように構成された制御信号を送信することを備える、請求項１１に記載の方法。
【請求項１３】
前記運転管理システムの感知モジュールによって、所定の検出ゾーン内の前記第１のモバイルデバイス又は前記第２のモバイルデバイスによって発せられた通信信号を感知することをさらに備える、請求項９〜１２のいずれか一項に記載の方法。
【請求項１４】
データを収集するための方法であって、
ビークルの運転管理システムを作動させることと、
前記運転管理システムによって、運転習慣情報を受信することと、
前記運転管理システムによって、モバイルデバイスの位置を決定することであって、前記位置が、所定の検出ゾーン内にある、決定することと、
前記モバイルデバイスから、前記運転管理システムによって、識別情報を受信することと、
前記運転管理システムによって、前記運転習慣情報に前記モバイルデバイスの前記識別情報を関連付けることと、
を備える、方法。
【請求項１５】
モバイルデバイスの位置を決定することであって、前記位置が、所定の検出ゾーン内にあり、前記所定の検出ゾーンが、前記ビークルの運転席に近接している３次元ゾーンを備える、請求項１４に記載の方法。
【請求項１６】
非一過性の記録媒体中に前記モバイルデバイスの前記識別情報に関連付けられた前記運転習慣情報を記憶することと、
前記ビークルのセンサによって感知されたデータに基づいて、前記ビークルのナビゲーションシステムによって前記運転習慣情報を決定することと、
をさらに備える、請求項１４又は１５に記載の方法。
【請求項１７】
前記運転習慣情報を記憶することが、運転速度パターンを記憶することを備える、請求項１６に記載の方法。
【請求項１８】
前記運転習慣情報を記憶することが、ブレーキペダルパターンを記憶することを備える、請求項１６又は１７に記載の方法。
【請求項１９】
前記運転習慣情報を記憶することが、ステアリングホイールパターンを記憶することを備える、請求項１６〜１８のいずれか一項に記載の方法。
【請求項２０】
前記運転管理システムによって、前記ビークルの出口点又は入口点がアクセスされた時間を決定することをさらに備える、請求項１４〜１９のいずれか一項に記載の方法。
【手続補正２】
【補正対象書類名】明細書
【補正対象項目名】０００１
【補正方法】変更
【補正の内容】
【０００１】
優先権
本出願は、２０１７年１月１３日に出願された「ＭＯＢＩＬＥ  ＤＥＶＩＣＥ  ＳＹＮＣＨＲＯＮＩＺＡＴＩＯＮ  ＷＩＴＨ  ＢＬＵＥＴＯＯＴＨ  ＬＯＷ  ＥＮＥＲＧＹ  ＡＮＤ  ＤＡＴＡ  ＣＯＬＬＥＣＴＩＯＮ」と題する国際出願番号ＰＣＴ／ＵＳ２０１７／０１３３９８及び２０１６年１月１５日に出願された「ＭＯＢＩＬＥ  ＤＥＶＩＣＥ  ＳＹＮＣＨＲＯＮＩＺＡＴＩＯＮ  ＷＩＴＨ  ＢＬＵＥＴＯＯＴＨ  ＬＯＷ  ＥＮＥＲＧＹ  ＡＮＤ  ＤＡＴＡ  ＣＯＬＬＥＣＴＩＯＮ」と題する米国仮出願番号第６２／２７９，１４２号の利益を主張し、両方の当該内容はその全体がすべての目的のために参照により本明細書に組み込まれる。
【手続補正３】
【補正対象書類名】明細書
【補正対象項目名】０００４
【補正方法】変更
【補正の内容】
【０００４】
非限定的な一態様では、モバイルデバイスアプリケーションは、ＢＬＥ技術を利用する。モバイルデバイスは、それらに組み込まれた回路、チップ、ＩＣ、などのＢＬＥデバイスを有し得る。非限定的な一態様では、モバイルデバイスは、運転管理システム中のＢＬＥデバイス間の通信に基づいてビークルのハンズフリーシステムと同期し得る。運転管理システムは、ビークル内に位置し得る。ＢＬＥデバイスは、モバイルデバイス中に位置し得る。非限定的な一態様では、モバイルデバイス中のＢｌｕｅｔｏｏｔｈ（登録商標）システムは、ビークルのハンズフリーシステムと同期され得る。そのような動作は、自動プロセスに従ってモバイルデバイス上でモバイルデバイスアプリケーションを通して達成され得る。モバイルデバイスアプリケーションと同期化プロセスとは、同様にウェアラブルデバイス上で動作し、モバイルデバイスとウェアラブルデバイスとの間の同期を可能にし得る。ハンズフリーシステムにより、例えば、非限定的な一例では、ユーザの手の使用を必要としない動作を含み得るハンズフリー動作を有効にしてもよい。ハンズフリー動作の非限定的な一例としては、ハンズフリーシステムとユーザのモバイルデバイスとの間の通信チャネルを確立するなどの動作を開始するための口頭コマンドをユーザが生成することを含み得る。
【手続補正４】
【補正対象書類名】明細書
【補正対象項目名】００４４
【補正方法】変更
【補正の内容】
【００４４】
図３に、ビークル１００のダッシュボード１０８内に位置するモバイルデバイス検出及び制御システム１０２の非限定的な一態様を備えるビークル１００の内部を示す。図３は、モバイルデバイス検出及び制御システム１０２が位置し得るダッシュボード１０８内の仮想の３つの潜在的位置として示す。検出及び制御システム１０２が、これらの位置のうちの１つ又は複数中に、又はダッシュボード１０８内に位置し得ることを諒解されよう。ユーザが改ざんするのを防止するために検出及び制御システム１０２がダッシュボード１０８内に位置することが好ましいことがある。したがって、検出及び制御システム１０２は、検出及び制御システム１０２がダッシュボード１０８内に位置することを示すために仮想物として示されている。別の非限定的な態様では、制御モジュール２０４は、検出及び制御システム１０２が自動車整備工の助けを借りて又は助けを借りないでビークル１００の所有者によって非活動化されたときなどの状況を記録するためにデータ収集プロセス有りで構成され得る。このような改ざん記録及び検出特徴は、検出及び制御システム１０２が使用不能だったかどうかを決定する事故後調査に役立ち得る。例えば、検出及び制御システム１０２が使用不能であったという決定は、保険の補償の無効を生じ得る。
【手続補正５】
【補正対象書類名】明細書
【補正対象項目名】００６２
【補正方法】変更
【補正の内容】
【００６２】
いくつかの非限定的な態様では、入出力サブシステム５０３の構成要素は、視覚的周辺出力デバイス６０１と、モーションセンサ６０３と、仮想入出力システム６０５と、オーディオ周辺出力デバイス６０７とを備え得る。いくつかの非限定的な態様では、入出力サブシステム５０３構成要素の１つ又は２つ以上が、組み合わされるか、又は、例えば、オーディオ周辺出力デバイス６０７を含まないなど省略され得る。入出力サブシステム５０３の構成要素の各々は、構成要素の間の通信を可能にするように構成されたシステムバス６０９に動作可能に接続され得る。システムバス６０９は、限定はしないが、９ビットバス、工業標準アーキテクチャ（ＩＳＡ）、マイクロチャネル・アーキテクチャ（ＭＳＡ）、拡張ＩＳＡ（ＥＩＳＡ）、インテリジェント・ドライブ・エレクトロニクス（ＩＤＥ）、ＶＥＳＡローカルバス（ＶＬＢ）、Ｐｅｒｉｐｈｅｒａｌ  Ｃｏｍｐｏｎｅｎｔ  Ｉｎｔｅｒｃｏｎｎｅｃｔ  Ｃａｒｄ  Ｉｎｔｅｒｎａｔｉｏｎａｌ  Ａｓｓｏｃｉａｔｉｏｎ  Ｂｕｓ（ＰＣＭＣＩＡ）、スモール・コンピュータ・インタフェース（ＳＣＳＩ）又は他のプロプライエタリ・バス、あるいはモバイル・コンピューティング・デバイス・アプリケーションに好適な任意のカスタムバスを含む任意の様々な利用可能なバスアーキテクチャを使用するメモリバス若しくはメモリコントローラ、周辺バス若しくは外部バス、及び／又はローカルバスを含むいくつかのタイプのバス構造のいずれかであり得る。他の非限定的な態様では、入出力サブシステム５０３は、組み合わされないか、又は図６に示すものの中に備えられた他の構成要素を備え得る。
【手続補正６】
【補正対象書類名】明細書
【補正対象項目名】００８４
【補正方法】変更
【補正の内容】
【００８４】
したがって、様々な非限定的な態様では、ビークルは、ビークルの１つ又は複数のセンサによって生成されたデータをモニタし、モニタされたデータに基づいて運転習慣情報を決定し得る。非限定的な一例では、ビークルのハンズフリーシステム又はナビゲーションシステムは、データをモニタし、モニタデータに基づいて運転習慣情報を決定する。非限定的な一態様では、ブレーキペダルパターンは、例えば、運転手がブレーキペダルを押下する典型的な頻度、運転手がブレーキペダルを押下する典型的な長さ、及び運転手がブレーキペダルを押下する典型的な速度を指すことがある。非限定的な一例では、一般に、比較的高速度でブレーキペダルを押下する運転手は、運転手がぎくしゃくした急激な様子でビークルを制動する習慣を有することを示し得る。別の非限定的な態様では、ステアリングホイールパターンは、例えば、運転手がぎくしゃくした移動ではなくスムーズな移動で操縦するのかどうかなどのファクタに基づいて評価され得る運転手によるステアリングホイールの扱いを指すことがある。いくつかの非限定的な態様では、１つ又は複数のセンサは、運転手がブレーキペダルを押下する速度、及び運転手がステアリングホイールを扱うときのステアリングホイールの向きの変化を感知し得る。ビークルは、運転手の運転習慣情報を決定するためにそのような感知された速度及び向きの変化をモニタし得る。
【手続補正７】
【補正対象書類名】明細書
【補正対象項目名】００９８
【補正方法】変更
【補正の内容】
【００９８】
さらに、いくつかの形態について、図示し説明したが、それは、添付の特許請求の範囲をそのような詳細に制限又は限定したいという出願人の意図ではない。それらの形態に対する多数の変更、変形、代用物、組合せ、及び均等物が、実装され得、本開示の範囲から逸脱することなく当業者に想到するであろう。さらに、説明した形態に関連付けられた各要素の構造は、代替的に、要素によって実行される機能を与えるための手段として説明され得る。また、いくつかの構成要素について材料を開示したが、他の材料が使用されてもよい。したがって、上記の説明及び添付の特許請求の範囲が、開示する形態の範囲内に入るものとしてすべてのそのような変形、組合せ、及び変更を包含するものであることを理解されたい。添付の特許請求の範囲は、すべてのそのような変更、変形、変化、代用物、組合せ、及び均等物を包含するものである。
【手続補正８】
【補正対象書類名】明細書
【補正対象項目名】０１０２
【補正方法】変更
【補正の内容】
【０１０２】
上記の詳細な説明は、ブロック図、フローチャート、及び／又は例の使用を介して様々な形態のデバイス及び／又はプロセスを記載した。そのようなブロック図、フローチャート、及び／又は例が１つ又は複数の機能及び／又は動作を含んでいる限り、そのようなブロック図、フローチャート、及び／又は例が、広範囲のハードウェア、ソフトウェア、ファームウェア、又はそれらのほぼすべての組合せによって個別に及び／又は集合的に実装され得ることが当業者には理解されよう。一形態では、本明細書で説明する主題のいくつかの部分は、特定用途向け集積回路（ＡＳＩＣ）、フィールド・プログラマブル・ゲート・アレイ（ＦＰＧＡ）、デジタル信号プロセッサ（ＤＳＰ）、又は他の統合フォーマットを介して実装され得る。ただし、本明細書で開示する形態のいくつかの態様が、全体的に又は部分的に、１つ又は複数のコンピュータ上で動作する１つ又は複数のコンピュータプログラムとして（例えば、１つ又は複数のコンピュータシステム上で動作する１つ又は複数のプログラムとして）、１つ又は複数のプロセッサ上で動作する１つ又は複数のプログラムとして（例えば、１つ又は複数のマイクロプロセッサ上で動作する１つ又は複数のプログラムとして）、ファームウェアとして、あるいはそれらのほぼすべての組合せとして、集積回路中に等しく実装され得ること、並びに回路を設計すること及び／又はソフトウェア及び／又はファームウェアのためのコードを書くことが、本開示に照らして十分に当業者の技術の範囲内であることを当業者は認識されよう。本明細書で説明する主題の機構が、様々な形態で１つ又は複数のプログラム製品として分散されることが可能であること、及び本明細書で説明する主題の例示的な形態が、分散を実際に実行するために使用される特定のタイプの信号担持媒体にかかわらず適用されることを、当業者は諒解されよう。信号担持媒体の例としては、限定はしないが、フロッピーディスク、ハードディスクドライブ、コンパクトディスク（ＣＤ）、デジタルビデオディスク（ＤＶＤ）、デジタルテープ、コンピュータメモリなどの記録可能型媒体と、デジタル及び／又はアナログ通信媒体の送信型媒体（例えば、光ファイバーケーブル、導波路、ワイヤード通信リンク、ワイヤレス通信リンク（例えば、送信機、受信機、送信論理、受信論理など）など）がある。
【手続補正９】
【補正対象書類名】明細書
【補正対象項目名】０１４１
【補正方法】変更
【補正の内容】
【０１４１】
例１８．前記運転習慣情報を記憶することが、ブレーキペダルパターンを記憶することを備える、例１４から１７のいずれか一項に記載の方法。
【国際調査報告】
2019512176.tif 000015
2019512176.tif 000016
2019512176.tif 000017